(57)【要約】複数の記録媒体に記録されたコンテンツを、それらのコンテンツの著作権を保護して他の記録媒体へ集約して記録する集約システムを提供する。集約システム（１）は集約装置（１６）と再生装置（１７）とを備え、集約装置（１６）は、光ディスク（１１）から主コンテンツを取得するとともに、メモリカード（１２）から副コンテンツを取得し、取得した主コンテンツと副コンテンツとを集約して可搬媒体（１３）に記録する。再生装置（１７）は、光ディスク（１１）から主コンテンツを取得するとともに、主コンテンツの再生を制御するための再生制御情報を取得し、再生制御情報に基づいて、光ディスク（１１）に記録されている主コンテンツを再生する。
2006524406.tif 000002
【特許請求の範囲】
【請求項１】
集約装置と、第１再生装置と、第２再生装置とを備える集約システムであって、
前記集約装置は、
第１記録媒体から主コンテンツを取得する第１取得部と、
副コンテンツを取得する第２取得部と、
前記主コンテンツと前記副コンテンツとを集約し、集約されたコンテンツを第２記録媒体に記録する記録部とを有し、
前記第１再生装置は、
前記第１記録媒体から前記主コンテンツを取得する第３取得部と、
前記主コンテンツの再生を制御するための再生制御情報を取得する第４取得部と、
前記再生制御情報に従って、前記第１記録媒体に記録されている前記主コンテンツを再生する再生部とを有し、
前記第２再生装置は、前記第２記録媒体に記録された前記主コンテンツと前記副コンテンツとを再生する
集約システム。
【請求項２】
前記第１記録媒体には、前記主コンテンツを再生することができるか否かを示す前記再生制御情報が記録されており、
前記集約装置は、更に、
前記第１記録媒体から前記再生制御情報を取得する第５取得部と、
前記第５取得部によって取得された前記再生制御情報が前記主コンテンツを再生することができることを示す情報であるか否かを判定する第１判定部と、
前記記録部によって前記主コンテンツと前記副コンテンツとが前記第２記録媒体に記録される場合、前記第１記録媒体に記録されている前記再生制御情報を、前記主コンテンツを再生することができないことを示す情報に変更する変更部とを有し、
前記第１再生装置は、
前記第４取得部によって取得された前記再生制御情報が前記主コンテンツを再生することができることを示す情報であるか否かを判定する第２判定部を有し、
前記記録部は、前記第１判定部によって、前記再生制御情報が前記主コンテンツを再生することができることを示す情報であると判定された場合、前記第１取得部によって取得された前記主コンテンツと、前記第２取得部によって取得された前記副コンテンツとを集約して前記第２記録媒体に記録し、
前記第４取得部は、前記第１記録媒体から前記再生制御情報を取得し、
前記再生部は、前記第２判定部によって、前記再生制御情報が前記主コンテンツを再生することができることを示す情報であると判定された場合、前記第１記録媒体に記録されている前記主コンテンツを再生する
請求項１記載の集約システム。
【請求項３】
前記第１再生装置と前記第２再生装置とが同一の装置である
請求項２記載の集約システム。
【請求項４】
前記第１記録媒体に記録されている前記主コンテンツの形式と、前記第２記録媒体に記録されている前記主コンテンツの形式とが同一である
請求項２記載の集約システム。
【請求項５】
前記再生制御情報は、前記主コンテンツを読み取る際に必要となるインデックス情報である
請求項２記載の集約システム。
【請求項６】
前記主コンテンツは暗号化されており、
前記再生制御情報は、暗号化された前記主コンテンツを復号するための復号鍵である
請求項２記載の集約システム。
【請求項７】
前記第１記録媒体には、物理的に破壊可能な特殊領域が設けられており、
前記再生制御情報は、前記特殊領域に記録されており、
前記変更部は、前記主コンテンツを再生することができないように前記特殊領域を破壊する
請求項２記載の集約システム。
【請求項８】
前記主コンテンツは暗号化されて前記第１記録媒体に記録されており、
前記再生制御情報は、暗号化された前記主コンテンツを復号するための復号鍵であり、
前記第１取得部は、前記第１記録媒体から暗号化された前記主コンテンツを取得し、
前記記録部は、前記第１取得部によって取得された暗号化された前記主コンテンツと、前記第２取得部によって取得された前記副コンテンツとを集約して前記第２記録媒体に記録し、
前記第３取得部は、前記第１記録媒体から暗号化された前記主コンテンツを取得し、
前記第４取得部は、前記復号鍵を取得し、
前記第１再生装置は、更に、前記第４取得部によって取得された前記復号鍵を利用して前記第１記録媒体に記録されている暗号化された前記主コンテンツを復号する第１復号部を有し、
前記第２再生装置は、
前記復号鍵を取得する第５取得部と、
前記第５取得部によって取得された前記復号鍵を利用して前記第２記録媒体に記録された暗号化された前記主コンテンツを復号する第２復号部とを有する
請求項１記載の集約システム。
【請求項９】
前記復号鍵は第３記録媒体に記録されており、
前記第４取得部は前記第３記録媒体から前記復号鍵を取得し、
前記第５取得部は前記第３記録媒体から前記復号鍵を取得する
請求項８記載の集約システム。
【請求項１０】
前記復号鍵は前記第１記録媒体に記録されており、
前記第４取得部は前記第１記録媒体から前記復号鍵を取得し、
前記第５取得部は前記第１記録媒体から前記復号鍵を取得する
請求項８記載の集約システム。
【請求項１１】
前記第４取得部は前記第１再生装置の外部から前記復号鍵を取得し、
前記第５取得部は前記第２再生装置の外部から前記復号鍵を取得する
請求項８記載の集約システム。
【請求項１２】
第１記録媒体に記録されている主コンテンツと、副コンテンツとを集約して第２記録媒体へ記録する集約装置であって、
前記第１記録媒体には、前記主コンテンツを再生することができるか否かを示す再生制御情報が記録されており、
前記集約装置は、
前記第１記録媒体から前記主コンテンツを取得する第１取得部と、
前記副コンテンツを取得する第２取得部と、
前記第１記録媒体から前記再生制御情報を取得する第３取得部と、
前記再生制御情報が前記主コンテンツを再生することができることを示す情報であるか否かを判定する判定部と、
前記判定部によって、前記再生制御情報が前記主コンテンツを再生することができることを示す情報であると判定された場合、前記主コンテンツと前記副コンテンツとを集約して前記第２記録媒体に記録する記録部と、
前記記録部によって前記主コンテンツと前記副コンテンツとが前記第２記録媒体に記録される場合、前記第１記録媒体に記録されている前記再生制御情報を、前記主コンテンツを再生することができないことを示す情報に変更する変更部と
を備える集約装置。
【請求項１３】
記録媒体に記録されている主コンテンツを再生する再生装置であって、
前記記録媒体には、前記主コンテンツを再生することができるか否かを示す再生制御情報が記録されており、
前記再生装置は、
前記記録媒体から前記主コンテンツを取得する第１取得部と、
前記記録媒体から前記再生制御情報を取得する第２取得部と、
前記再生制御情報が前記主コンテンツを再生することができることを示す情報であるか否かを判定する判定部と、
前記判定部によって、前記再生制御情報が前記主コンテンツを再生することができることを示す情報であると判定された場合、前記記録媒体に記録されている前記主コンテンツを再生する再生部と
を備える再生装置。
【請求項１４】
第１記録媒体に記録されている主コンテンツと、副コンテンツとを集約して第２記録媒体へ記録する集約方法であって、
前記第１記録媒体には、前記主コンテンツを再生することができるか否かを示す再生制御情報が記録されており、
前記集約方法は、
前記第１記録媒体から前記主コンテンツを取得する第１取得ステップと、
前記副コンテンツを取得する第２取得ステップと、
前記第１記録媒体から前記再生制御情報を取得する第３取得ステップと、
前記第３取得ステップにおいて取得した前記再生制御情報が前記主コンテンツを再生することができることを示す情報であるか否かを判定する判定ステップと、
前記判定ステップにおいて、前記再生制御情報が前記主コンテンツを再生することができることを示す情報であると判定した場合、前記主コンテンツと前記副コンテンツとを集約して前記第２記録媒体に記録する記録ステップと、
前記記録ステップにおいて前記主コンテンツと前記副コンテンツとを前記第２記録媒体に記録する場合、前記第１記録媒体に記録されている前記再生制御情報を、前記主コンテンツを再生することができないことを示す情報に変更する変更ステップと
を含む集約方法。
【請求項１５】
記録媒体に記録されている主コンテンツを再生する再生方法であって、
前記記録媒体には、前記主コンテンツを再生することができるか否かを示す再生制御情報が記録されており、
前記再生方法は、
前記記録媒体から前記主コンテンツを取得する第１取得ステップと、
前記記録媒体から前記再生制御情報を取得する第２取得ステップと、
前記再生制御情報が前記主コンテンツを再生することができることを示す情報であるか否かを判定する判定ステップと、
前記判定ステップにおいて、前記再生制御情報が前記主コンテンツを再生することができることを示す情報であると判定した場合、前記記録媒体に記録されている前記主コンテンツを再生する再生ステップと
を含む再生方法。
【請求項１６】
第１記録媒体に記録されている主コンテンツと、副コンテンツとを集約して第２記録媒体へ記録するためのプログラムであって、
前記第１記録媒体には、前記主コンテンツを再生することができるか否かを示す再生制御情報が記録されており、
前記プログラムは、
前記第１記録媒体から前記主コンテンツを取得する第１取得ステップと、
前記副コンテンツを取得する第２取得ステップと、
前記第１記録媒体から前記再生制御情報を取得する第３取得ステップと、
前記第３取得ステップにおいて取得した前記再生制御情報が前記主コンテンツを再生することができることを示す情報であるか否かを判定する判定ステップと、
前記判定ステップにおいて、前記再生制御情報が前記主コンテンツを再生することができることを示す情報であると判定した場合、前記主コンテンツと前記副コンテンツとを集約して前記第２記録媒体に記録する記録ステップと、
前記記録ステップにおいて前記主コンテンツと前記副コンテンツとを前記第２記録媒体に記録する場合、前記第１記録媒体に記録されている前記再生制御情報を、前記主コンテンツを再生することができないことを示す情報に変更する変更ステップと
をコンピュータに実行させるためのプログラム。
【請求項１７】
記録媒体に記録されている主コンテンツを再生するためのプログラムであって、
前記記録媒体には、前記主コンテンツを再生することができるか否かを示す再生制御情報が記録されており、
前記プログラムは、
前記記録媒体から前記主コンテンツを取得する第１取得ステップと、
前記記録媒体から前記再生制御情報を取得する第２取得ステップと、
前記再生制御情報が前記主コンテンツを再生することができることを示す情報であるか否かを判定する判定ステップと、
前記判定ステップにおいて、前記再生制御情報が前記主コンテンツを再生することができることを示す情報であると判定した場合、前記記録媒体に記録されている前記主コンテンツを再生する再生ステップと
をコンピュータに実行させるためのプログラム。
【請求項１８】
第１記録媒体に記録されている暗号化された主コンテンツと、副コンテンツとが集約されて第２記録媒体に記録された後に、前記第２記録媒体に記録された前記主コンテンツと前記副コンテンツとを再生する再生装置であって、
前記暗号化された主コンテンツを復号するための復号鍵が、前記第１記録媒体に記録されており、
前記再生装置は、
前記第２記録媒体から前記暗号化された主コンテンツを取得する第１取得部と、
前記第１記録媒体から前記復号鍵を取得する第２取得部と、
前記復号鍵を利用して前記暗号化された主コンテンツを復号する復号部と
を備える再生装置。
【請求項１９】
第１記録媒体に記録されている暗号化された主コンテンツと、副コンテンツとが集約されて第２記録媒体に記録された後に、前記第２記録媒体に記録された前記主コンテンツと前記副コンテンツとを再生する再生方法であって、
前記暗号化された主コンテンツを復号するための復号鍵が、前記第１記録媒体に記録されており、
前記再生方法は、
前記第２記録媒体に記録されている前記暗号化された主コンテンツを取得する第１取得ステップと、
前記第１記録媒体に記録されている前記復号鍵を取得する第２取得ステップと、
前記復号鍵を利用して前記暗号化された主コンテンツを復号する復号ステップと
を含む再生方法。
【請求項２０】
第１記録媒体に記録されている暗号化された主コンテンツと、副コンテンツとが集約されて第２記録媒体に記録された後に、前記第２記録媒体に記録された前記主コンテンツと前記副コンテンツとを再生するためのプログラムであって、
前記暗号化された主コンテンツを復号するための復号鍵が、前記第１記録媒体に記録されており、
前記プログラムは、
前記第２記録媒体に記録されている前記暗号化された主コンテンツを取得する第１取得ステップと、
前記第１記録媒体に記録されている前記復号鍵を取得する第２取得ステップと、
前記復号鍵を利用して前記暗号化された主コンテンツを復号する復号ステップと
をコンピュータに実行させるためのプログラム。
【請求項２１】
集約装置と、再生装置とを備える集約システムであって、
前記集約装置は、
前記主コンテンツを取得する第１取得部と、
前記副コンテンツを取得する第２取得部と、
前記主コンテンツと前記副コンテンツとを集約して前記記録媒体に記録することを許可するか否かを示す集約判断情報を取得する第３取得部と、
前記集約判断情報が前記主コンテンツと前記副コンテンツとを集約して前記記録媒体に記録することを許可することを示す情報であるか否かを判定する判定部と、
前記判定部によって、前記集約判断情報が集約して前記記録媒体に記録することを許可することを示す情報であると判定された場合、前記主コンテンツと前記副コンテンツとを集約して前記記録媒体に記録する記録部とを有し、
前記再生装置は、前記記録媒体に記録された前記主コンテンツと前記副コンテンツとを再生する
集約システム。
【請求項２２】
主コンテンツと副コンテンツとを集約して第１記録媒体へ記録する集約装置であって、
前記主コンテンツを取得する第１取得部と、
前記副コンテンツを取得する第２取得部と、
前記主コンテンツと前記副コンテンツとを集約して前記第１記録媒体に記録することを許可するか否かを示す集約判断情報を取得する第３取得部と、
前記集約判断情報が、前記主コンテンツと前記副コンテンツとを集約して前記第１記録媒体に記録することを許可することを示す情報であるか否かを判定する判定部と、
前記判定部によって、前記集約判断情報が集約して前記第１記録媒体に記録することを許可することを示す情報であると判定された場合、前記主コンテンツと前記副コンテンツとを集約して前記第１記録媒体に記録する記録部と
を備える集約装置。
【請求項２３】
前記主コンテンツは第２記録媒体に記録されており、前記第２記録媒体には更に所定の識別子が記録されており、
前記集約装置は、更に、
前記第２記録媒体から前記所定の識別子を取得する第４取得部と、
前記所定の識別子を、前記所定の識別子に基づいて前記集約判断情報を送信する所定の装置に送信する送信部とを備え、
前記第１取得部は、前記第２記録媒体から前記主コンテンツを取得し、
前記第３取得部は、前記所定の装置から前記集約判断情報を受信することにより前記集約判断情報を取得する
請求項２２記載の集約装置。
【請求項２４】
前記所定の識別子は前記第２記録媒体を特定する媒体識別子である
請求項２３記載の集約装置。
【請求項２５】
前記所定の識別子は前記主コンテンツを特定するコンテンツ識別子である
請求項２３記載の集約装置。
【請求項２６】
前記集約判断情報は、前記主コンテンツと前記副コンテンツとを集約する際の課金に応じて、前記主コンテンツと前記副コンテンツとを集約して前記第１記録媒体に記録することを許可するか否かを示す情報である
請求項２２記載の集約装置。
【請求項２７】
前記集約判断情報は、前記主コンテンツと前記副コンテンツとを集約する回数に応じて、前記主コンテンツと前記副コンテンツとを集約して前記第１記録媒体に記録することを許可するか否かを示す情報である
請求項２２記載の集約装置。
【請求項２８】
前記主コンテンツ及び前記集約判断情報は第２記録媒体に記録されており、
前記第１取得部は、前記第２記録媒体から前記主コンテンツを取得し、
前記第３取得部は、前記第２記録媒体から前記集約判断情報を取得する
請求項２２記載の集約装置。
【請求項２９】
主コンテンツと副コンテンツとを集約して記録媒体へ記録する集約方法であって、
前記主コンテンツを取得する第１取得ステップと、
前記副コンテンツを取得する第２取得ステップと、
前記主コンテンツと前記副コンテンツとを集約して前記記録媒体に記録することを許可するか否かを示す集約判断情報を取得する第３取得ステップと、
前記集約判断情報が、前記主コンテンツと前記副コンテンツとを集約して前記記録媒体に記録することを許可することを示す情報であるか否かを判定する判定ステップと、
前記判定ステップにおいて、前記集約判断情報が集約して前記記録媒体に記録することを許可することを示す情報であると判定した場合、前記主コンテンツと前記副コンテンツとを集約して前記記録媒体に記録する記録ステップと
を含む集約方法。
【請求項３０】
主コンテンツと副コンテンツとを集約して記録媒体へ記録するためのプログラムであって、
前記主コンテンツを取得する第１取得ステップと、
前記副コンテンツを取得する第２取得ステップと、
前記主コンテンツと前記副コンテンツとを集約して前記記録媒体に記録することを許可するか否かを示す集約判断情報を取得する第３取得ステップと、
前記集約判断情報が、前記主コンテンツと前記副コンテンツとを集約して前記記録媒体に記録することを許可することを示す情報であるか否かを判定する判定ステップと、
前記判定ステップにおいて、前記集約判断情報が集約して前記記録媒体に記録することを許可することを示す情報であると判定した場合、前記主コンテンツと前記副コンテンツとを集約して前記記録媒体に記録する記録ステップと
をコンピュータに実行させるためのプログラム。
【請求項３１】
集約装置と、再生装置とを備える集約システムであって、
前記集約装置は、
主コンテンツを取得する第１取得部と、
副コンテンツを取得する第２取得部と、
前記主コンテンツと前記副コンテンツとを集約して記録媒体に記録する記録部とを有し、
前記再生装置は、
前記主コンテンツ及び前記副コンテンツの再生に関する状況が、前記主コンテンツと前記副コンテンツとを再生することを許可することを示す所定の条件を満足するか否かを判定する判定部と、
前記判定部によって前記状況が満足すると判定された場合、前記記録媒体に記録された前記主コンテンツと前記副コンテンツとを再生する再生部とを有する
集約システム。
【請求項３２】
主コンテンツと副コンテンツとが集約されて記録された記録媒体の前記主コンテンツと前記副コンテンツとを再生する再生装置であって、
前記主コンテンツ及び前記副コンテンツの再生に関する状況が、前記主コンテンツと前記副コンテンツとを再生することを許可することを示す所定の条件を満足するか否かを判定する判定部と、
前記判定部によって前記状況が満足すると判定された場合、前記記録媒体に記録された前記主コンテンツと前記副コンテンツとを再生する再生部と
を備える再生装置。
【請求項３３】
更に、
前記再生に関する状況が前記所定の条件を満足しないと前記判定部によって判定された場合、前記記録媒体に記録された前記主コンテンツと前記副コンテンツとを消去する消去部を備える
請求項３２記載の再生装置。
【請求項３４】
前記所定の条件は、前記主コンテンツと前記副コンテンツとを再生することを許可する最大回数であって、
前記再生装置は、更に、
前記再生部が前記記録媒体に記録された前記主コンテンツと前記副コンテンツとを再生する毎に、前記記録媒体の利用回数を１回分増加させて前記記録媒体に記録する回数記録部を備え、
前記判定部は、前記記録媒体に記録されている利用回数が前記所定の条件を示す前記再生することを許可する最大回数に達している場合、前記再生に関する状況が前記所定の条件を満足しないと判定する
請求項３２記載の再生装置。
【請求項３５】
前記所定の条件は前記主コンテンツと前記副コンテンツとを再生することができる残りの再生回数であって、前記再生回数の上限は前記記録媒体に予め記録されており、
前記再生装置は、更に、
前記再生部が前記記録媒体に記録された前記主コンテンツと前記副コンテンツとを再生する毎に、前記残りの再生回数を１回分減少させて前記記録媒体に記録する回数記録部を備え、
前記判定部は、前記記録媒体に記録されている前記残りの再生回数が零である場合、前記再生に関する状況が前記所定の条件を満足しないと判定する
請求項３２記載の再生装置。
【請求項３６】
前記所定の条件は、前記主コンテンツと前記副コンテンツとを再生することを許可する最大時間であって、
前記再生装置は、更に、
前記再生部が前記記録媒体に記録された前記主コンテンツと前記副コンテンツとを再生する毎に、再生時間を計測する再生時間計測部と、
前記再生時間計測部によって計測された再生時間を累積して前記記録媒体に記録する再生時間記録部とを備え、
前記判定部は、前記記録媒体に記録されている累積再生時間が、前記所定の条件を示す前記再生することを許可する最大時間に達している場合、前記再生に関する状況が前記所定の条件を満足しないと判定する
請求項３２記載の再生装置。
【請求項３７】
前記所定の条件は前記主コンテンツと前記副コンテンツとを再生することができる残りの再生時間であって、前記残りの再生時間の上限は前記記録媒体に予め記録されており、
前記再生装置は、更に、
前記再生部が前記記録媒体に記録された前記主コンテンツと前記副コンテンツとを再生する毎に、再生時間を計測する再生時間計測部と、
前記再生部が前記記録媒体に記録された前記主コンテンツと前記副コンテンツとを再生する毎に、前記残りの再生時間を、前記上限の時間から前記再生時間計測部によって計測された再生時間分減少させて前記記録媒体に記録する時間記録部とを備え、
前記判定部は、前記記録媒体に記録されている前記残りの再生時間が零である場合、前記再生に関する状況が前記所定の条件を満足しないと判定する
請求項３２記載の再生装置。
【請求項３８】
前記主コンテンツは暗号化されており、
前記再生装置は、更に、
暗号化された前記主コンテンツを復号するための復号鍵を取得する復号鍵取得部と、
前記復号鍵取得部によって取得された前記復号鍵を利用して暗号化された前記主コンテンツを復号する復号部とを備える
請求項３２記載の再生装置。
【請求項３９】
主コンテンツと副コンテンツとが集約されて記録された記録媒体の前記主コンテンツと前記副コンテンツとを再生する再生方法であって、
前記主コンテンツ及び前記副コンテンツの再生に関する状況が、前記主コンテンツと前記副コンテンツとを再生することを許可することを示す所定の条件を満足するか否かを判定する判定ステップと、
前記判定ステップにおいて前記状況が満足すると判定した場合、前記記録媒体に記録された前記主コンテンツと前記副コンテンツとを再生する再生ステップと
を含む再生方法。
【請求項４０】
主コンテンツと副コンテンツとが集約されて記録された記録媒体の前記主コンテンツと前記副コンテンツとを再生するためのプログラムであって、
前記主コンテンツ及び前記副コンテンツの再生に関する状況が、前記主コンテンツと前記副コンテンツとを再生することを許可することを示す所定の条件を満足するか否かを判定する判定ステップと、
前記判定ステップにおいて前記状況が満足すると判定した場合、前記記録媒体に記録された前記主コンテンツと前記副コンテンツとを再生する再生ステップと
をコンピュータに実行させるためのプログラム。
【発明の詳細な説明】
【技術分野】
【０００１】
本発明は、記録媒体に記録されているコンテンツを、別の記録媒体に記録する技術に関し、特に、複数の記録媒体に記録されたコンテンツを単一の記録媒体に集約して記録する集約システムに関するものである。
【背景技術】
【０００２】
近年、デジタル信号圧縮技術及び記録技術の発展により、音楽、映像、プログラム等のデジタル化されたコンテンツをＤｉｇｉｔａｌ  Ｖｅｒｓａｔｉｌｅ  Ｄｉｓｃ（ＤＶＤ）のような大容量光ディスクなどの記録メディアに記録して販売することが普及している。記録メディアに記録されているデジタルコンテンツは、品質を劣化させることなくハードディスク等の記録媒体にコピーすることが可能である。そのため、コンテンツの不正利用や不正コピー等による著作権侵害が起こる恐れがある。従って、このような問題の解決が望まれている。
【０００３】
従来、第三者による不正利用や不正コピーを防止するため、記録媒体に記録されたコンテンツの不正コピーが行えないようにする、よく知られた仕組みである、Ｃｏｎｔｅｎｔ  Ｐｒｏｔｅｃｔｉｏｎ  ｆｏｒ  Ｒｅｃｏｒｄａｂｌｅ  Ｍｅｄｉａ（ＣＰＲＭ）規格がある（例えば、Ｍａｔｓｕｓｈｉｔａ  Ｔｅｃｈｎｉｃａｌ  Ｊｏｕｒｎａｌ  第４８巻  第２号（２００２年４月）、２００２年４月１８日発行、松下電器産業株式会社、（第７頁）参照）。この仕組みを以下に簡単に説明する。
【０００４】
まず、ＣＰＲＭ規格に準拠して製造された記録媒体には、その記録媒体固有の媒体ＩＤが、製造時に記録されている。この媒体ＩＤは、読み取ることは可能だが書き換えや消去ができない情報である。この規格に準拠して製造された記録機器が、記録媒体にコンテンツを記録する際には、その記録媒体の媒体ＩＤを用いて所定の方法でコンテンツ鍵を生成し、そのコンテンツ鍵を用いて所定の方法で暗号化したコンテンツをその記録媒体に記録する。この規格によると、ある記録媒体Ａに記録された暗号化コンテンツを他の記録媒体Ｂにコピーすることができる。しかしながら、コピー先の記録媒体Ｂの媒体ＩＤはコピー元の記録媒体Ａの媒体ＩＤと異なる。そのため、この規格に準拠して製造された再生機器は、コピー先の記録媒体Ｂから媒体ＩＤを読み出して所定の方法でコンテンツ鍵を生成しても、元の記録媒体Ａに記録されていた暗号化コンテンツを復号するためのコンテンツ鍵を導出できない。従って、コピーした記録媒体Ｂからはコンテンツを復号できず、不正コピーを防止することが可能である。
【０００５】
他方、近年、インターネットの普及に伴い、音楽や映像などのさまざまなコンテンツが、インターネットを介して取得できるようになりつつある。いま、例えば、ＤＶＤには映像と音声が記録されており、ＤＶＤを購入したユーザはその映像と音声を再生して視聴することができ、さらに、ＤＶＤに記録された音声を、インターネットを介して取得して別の記録媒体に記録された別の音声データに差し替えることができる場合を想定する。この場合、差し替え可能な音声データのバラエティが多ければ、それだけＤＶＤに記録されたコンテンツの利用の多様性が増え、よりコンテンツの商品価値が高まることになる。
【０００６】
このことから、コンテンツがＤＶＤ等の記録媒体に記録されて配布されるのみならず、コンテンツの商品価値を高めるための他の形態でコンテンツが配布されることが予想される。例えば、ユーザがＤＶＤ等の記録媒体に記録されたコンテンツに連携させる副コンテンツを、インターネットを介して取得して別の記録媒体（例えばハードディスクや大容量メモリカード等）に記録し、上記コンテンツを別の記録媒体に記録した副コンテンツと連携して再生することが可能である。
【０００７】
さらに、このようなコンテンツ配布形態を用いて、ＤＶＤに記録されたコンテンツの修正又は追加データを副コンテンツとして配布し、ＤＶＤに記録されたコンテンツを副コンテンツと連携して再生させることにより、更新されたコンテンツを再生することも予想される。
【０００８】
このとき、コンテンツとそれに連携させる副コンテンツは、別の記録媒体に記録されるので、ユーザがこれらのコンテンツをいろいろの場所で利用したい場合、複数の記録媒体を持ち運ばなければならない。従って、上述のようなコンテンツの配布形態において、例えば持ち運びの利便性を高めるために、これらのコンテンツを他の記録媒体に集約して記録し、利用することが要求されると考えられる。このとき、別の記録媒体に記録されたこれらのコンテンツを他の記録媒体に集約して記録すると、実質的にコンテンツ及び副コンテンツをコピーしたことになる。なぜなら、コピー元の複数の記録媒体からも、集約して記録したコピー先の記録媒体からも、コンテンツ及び副コンテンツを再生することが可能であるからである。従って、コンテンツの著作権を保護するためには、何かしらの手段を講じなければならない。
【０００９】
しかしながら、ＣＰＲＭ規格等の従来の技術は、コンテンツの著作権を保護するために、１つの記録媒体に記録されたコンテンツの不正コピーが行えないようにする仕組みであり、コンテンツの著作権を保護しつつ、ユーザの利便性を高めるために、複数の記録媒体に記録されたコンテンツを集約して他の記録媒体に記録する方法はない。
【００１０】
本発明の目的は、上記課題に鑑み、複数の記録媒体に記録されたコンテンツを、それらのコンテンツの著作権を保護して他の記録媒体へ集約する集約装置、集約したコンテンツをそのコンテンツの著作権を保護して再生する再生装置、及び、複数のコンテンツをそれらの著作権を保護して集約する又は集約したコンテンツをそのコンテンツの著作権を保護して再生する集約システムを提供することである。
【００１１】
なお、上記のコンテンツの著作権を保護して集約する又は再生することとは、著作権者の集約すること又は再生することに対する同意に基づいてコンテンツを集約する又は再生することを意味する。
【発明の開示】
【００１２】
本発明の集約システムは、集約装置と、第１再生装置と、第２再生装置とを備える集約システムであって、前記集約装置は、第１記録媒体から主コンテンツを取得する第１取得部と、副コンテンツを取得する第２取得部と、前記主コンテンツと前記副コンテンツとを集約し、集約されたコンテンツを第２記録媒体に記録する記録部とを有し、前記第１再生装置は、前記第１記録媒体から前記主コンテンツを取得する第３取得部と、前記主コンテンツの再生を制御するための再生制御情報を取得する第４取得部と、前記再生制御情報に従って、前記第１記録媒体に記録されている前記主コンテンツを再生する再生部とを有し、前記第２再生装置は、前記第２記録媒体に記録された前記主コンテンツと前記副コンテンツとを再生する。
【００１３】
本発明の集約装置は、第１記録媒体に記録されている主コンテンツと、副コンテンツとを集約して第２記録媒体へ記録する集約装置であって、前記第１記録媒体には、前記主コンテンツを再生することができるか否かを示す再生制御情報が記録されており、前記集約装置は、前記第１記録媒体から前記主コンテンツを取得する第１取得部と、前記副コンテンツを取得する第２取得部と、前記第１記録媒体から前記再生制御情報を取得する第３取得部と、前記再生制御情報が前記主コンテンツを再生することができることを示す情報であるか否かを判定する判定部と、前記判定部によって、前記再生制御情報が前記主コンテンツを再生することができることを示す情報であると判定された場合、前記主コンテンツと前記副コンテンツとを集約して前記第２記録媒体に記録する記録部と、前記記録部によって前記主コンテンツと前記副コンテンツとが前記第２記録媒体に記録される場合、前記第１記録媒体に記録されている前記再生制御情報を、前記主コンテンツを再生することができないことを示す情報に変更する変更部とを備える。
【００１４】
本発明の再生装置は、記録媒体に記録されている主コンテンツを再生する再生装置であって、前記記録媒体には、前記主コンテンツを再生することができるか否かを示す再生制御情報が記録されており、前記再生装置は、前記記録媒体から前記主コンテンツを取得する第１取得部と、前記記録媒体から前記再生制御情報を取得する第２取得部と、前記再生制御情報が前記主コンテンツを再生することができることを示す情報であるか否かを判定する判定部と、前記判定部によって、前記再生制御情報が前記主コンテンツを再生することができることを示す情報であると判定された場合、前記記録媒体に記録されている前記主コンテンツを再生する再生部とを備える。
【００１５】
本発明の再生装置は、第１記録媒体に記録されている暗号化された主コンテンツと、副コンテンツとが集約されて第２記録媒体に記録された後に、前記第２記録媒体に記録された前記主コンテンツと前記副コンテンツとを再生する再生装置であって、前記暗号化された主コンテンツを復号するための復号鍵が、前記第１記録媒体に記録されており、前記再生装置は、前記第２記録媒体から前記暗号化された主コンテンツを取得する第１取得部と、前記第１記録媒体から前記復号鍵を取得する第２取得部と、前記復号鍵を利用して前記暗号化された主コンテンツを復号する復号部とを備える。
【００１６】
本発明の集約システムは、集約装置と、再生装置とを備える集約システムであって、前記集約装置は、前記主コンテンツを取得する第１取得部と、前記副コンテンツを取得する第２取得部と、前記主コンテンツと前記副コンテンツとを集約して前記記録媒体に記録することを許可するか否かを示す集約判断情報を取得する第３取得部と、前記集約判断情報が前記主コンテンツと前記副コンテンツとを集約して前記記録媒体に記録することを許可することを示す情報であるか否かを判定する判定部と、前記判定部によって、前記集約判断情報が集約して前記記録媒体に記録することを許可することを示す情報であると判定された場合、前記主コンテンツと前記副コンテンツとを集約して前記記録媒体に記録する記録部とを有し、前記再生装置は、前記記録媒体に記録された前記主コンテンツと前記副コンテンツとを再生する。
【００１７】
本発明の集約装置は、主コンテンツと副コンテンツとを集約して第１記録媒体へ記録する集約装置であって、前記主コンテンツを取得する第１取得部と、前記副コンテンツを取得する第２取得部と、前記主コンテンツと前記副コンテンツとを集約して前記第１記録媒体に記録することを許可するか否かを示す集約判断情報を取得する第３取得部と、前記集約判断情報が、前記主コンテンツと前記副コンテンツとを集約して前記第１記録媒体に記録することを許可することを示す情報であるか否かを判定する判定部と、前記判定部によって、前記集約判断情報が集約して前記第１記録媒体に記録することを許可することを示す情報であると判定された場合、前記主コンテンツと前記副コンテンツとを集約して前記第１記録媒体に記録する記録部とを備える。
【００１８】
本発明の集約システムは、集約装置と、再生装置とを備える集約システムであって、前記集約装置は、主コンテンツを取得する第１取得部と、副コンテンツを取得する第２取得部と、前記主コンテンツと前記副コンテンツとを集約して記録媒体に記録する記録部とを有し、前記再生装置は、前記主コンテンツ及び前記副コンテンツの再生に関する状況が、前記主コンテンツと前記副コンテンツとを再生することを許可することを示す所定の条件を満足するか否かを判定する判定部と、前記判定部によって前記状況が満足すると判定された場合、前記記録媒体に記録された前記主コンテンツと前記副コンテンツとを再生する再生部とを有する。
【００１９】
本発明の再生装置は、主コンテンツと副コンテンツとが集約されて記録された記録媒体の前記主コンテンツと前記副コンテンツとを再生する再生装置であって、前記主コンテンツ及び前記副コンテンツの再生に関する状況が、前記主コンテンツと前記副コンテンツとを再生することを許可することを示す所定の条件を満足するか否かを判定する判定部と、前記判定部によって前記状況が満足すると判定された場合、前記記録媒体に記録された前記主コンテンツと前記副コンテンツとを再生する再生部とを備える。
【００２０】
このように、本発明の集約システム、集約装置、及び再生装置は、複数の記録媒体に記録されたコンテンツを、それらのコンテンツの著作権を保護して他の記録媒体へ集約することができ、又は集約したコンテンツをそのコンテンツの著作権を保護して再生することができる。
【００２１】
更に、本発明は、本発明の集約装置又は再生装置の特徴的な構成手段によって実行されるステップを含む方法として実現したり、それらのステップを含むプログラムとして実現することもできる。そのプログラムは、ＣＤ−ＲＯＭ等の記録媒体や通信ネットワーク等の伝送媒体を介して流通させることもできる。
【００２２】
本出願に対する技術的な背景に関する更なる情報として、２００３年４月２２日にされた出願番号２００３−１１６８３６号の日本特許出願は、そっくりそのまま引用されている。
【発明を実施するための最良の形態】
【００２３】
以下、本発明を実施するための最良の形態について、図面を用いて説明する。
（実施の形態１）
先ず、本発明の実施の形態１の集約システム１について、図１〜図６を用いて説明する。
【００２４】
集約システム１は、集約装置が、複数の記録媒体に記録されたコンテンツを他の記録媒体へ集約を行うに際して、集約後は、集約前に記録媒体に記録されていたコンテンツを再生しない。
【００２５】
集約システム１の概要
最初に、図１を用いて実施の形態１の集約システム１の概要を説明する。図１は、実施の形態１の集約システム１の構成を示すブロック図である。
【００２６】
図１において、光ディスク１１には映画等のコンテンツが主コンテンツとして記録されており、メモリカード１２には光ディスク１１に記録された主コンテンツと連携させる音声データ等の副コンテンツが記録可能であり、可搬媒体１３はＤＶＤ−ＲＡＭ等の、情報の記録が可能な可搬媒体である。なお、可搬媒体１３は、リムーバブルなハードディスクドライブ（ＨＤＤ）であってもよいし、ノンリムーバブルなＨＤＤ等の記録媒体に置き換えられてもよい。
【００２７】
コンテンツ提供者は、主コンテンツを光ディスク１１に記録して販売するなどの配布手段によってユーザに主コンテンツを配布し、主コンテンツと連携させる副コンテンツをサーバ１４からインターネット１８を介してユーザに配布する。
【００２８】
他方、ユーザは、副コンテンツ取得装置１５を用いて、副コンテンツをサーバ１４からインターネット１８を介して取得してメモリカード１２に記録する。そして、ユーザは、再生装置１７を用いて、光ディスク１１に記録された主コンテンツをメモリカード１２に記録した副コンテンツと連携して再生し、視聴する。
【００２９】
また、ユーザは、持ち運びのときの利便性を高めるために、集約装置１６を用いて、光ディスク１１に記録された主コンテンツとメモリカード１２に記録された副コンテンツとを、可搬媒体１３に集約して記録することができる。ユーザは、可搬媒体１３に記録された主コンテンツと副コンテンツとをも、再生装置１７を用いて再生し、視聴することができる。なお、集約装置１６は、主コンテンツと副コンテンツとを可搬媒体１３に集約して記録した後、光ディスク１１に記録された主コンテンツを再生不可能となるように処理する。
【００３０】
すなわち、この集約システム１は、ユーザが複数の記録媒体に記録されたコンテンツを他の記録媒体へ集約した後は、集約前に記録媒体に記録されていた主コンテンツを再生しないことにより、コンテンツの著作権を保護するシステムである。
【００３１】
実施の形態１の集約システム１の概要を説明した。以下に、集約システム１の詳細を説明する。
【００３２】
集約システム１の構成
集約システム１は、図１に示すように、光ディスク１１と、メモリカード１２と、可搬媒体１３と、サーバ１４と、副コンテンツ取得装置１５と、集約装置１６と、再生装置１７とを有する。サーバ１４と副コンテンツ取得装置１５とはインターネット１８を介して接続されている。
【００３３】
光ディスク１１の構成
光ディスク１１は、ＤＶＤ−ＲＡＭ等の、情報の記録が可能な記録媒体である。図２に光ディスク１１の構成を示す。光ディスク１１には、図２に示すように、主コンテンツと、主コンテンツの再生が許可されているか否かを示す再生判断情報（フラグ）とが記録されている。ここで、再生判断情報の初期値は、再生が可能であることを示す値とし、実施の形態１では「１」とする。
【００３４】
メモリカード１２の構成
メモリカード１２は、ＳＤカード等の、情報の記録が可能な記録媒体であり、メモリカード１２には、副コンテンツ取得装置１５により、主コンテンツと連携させる副コンテンツが記録される。
【００３５】
可搬媒体１３の構成
可搬媒体１３は、ＤＶＤ−ＲＡＭ等の、情報の記録が可能な可搬媒体である。可搬媒体１３には、集約装置１６により、光ディスク１１に記録された主コンテンツとメモリカード１２に記録された副コンテンツとが集約して記録される。なお、可搬媒体１３は、上述したように、リムーバブルなＨＤＤであってもよいし、ノンリムーバブルなＨＤＤ等の記録媒体に置き換えられてもよい。要するに、可搬媒体１３、又は可搬媒体１３と置き換えられる記録媒体は、主コンテンツと副コンテンツとが集約して記録される記録媒体でありさえすればよい。
【００３６】
サーバ１４の構成
サーバ１４は、光ディスク１１に記録された主コンテンツと連携させる副コンテンツを蓄積しており、副コンテンツ取得装置１５に対して副コンテンツの提供を行う。
【００３７】
副コンテンツ取得装置１５の構成
副コンテンツ取得装置１５は、サーバ１４から、インターネット１８を介して副コンテンツを取得してメモリカード１２に記録する。
【００３８】
集約装置１６の構成
図３に集約装置１６の構成を示す。図３に示すように、集約装置１６は、第１アクセス部１６１と、第２アクセス部１６２と、制御部１６３と、第３アクセス部１６４と、入力部１６５と、表示部１６６とを有する。
【００３９】
（１）第１アクセス部１６１
第１アクセス部１６１は、制御部１６３の指示に従い、光ディスク１１から主コンテンツと再生判断情報との読み取りを行う。また、第１アクセス部１６１は、制御部１６３の指示に従い、光ディスク１１の再生判断情報の書き換えを行う。
【００４０】
（２）第２アクセス部１６２
第２アクセス部１６２は、制御部１６３の指示に従い、メモリカード１２から副コンテンツの読み取りを行う。
【００４１】
（３）制御部１６３
制御部１６３は、第１アクセス部１６１を介して光ディスク１１から主コンテンツと再生判断情報とを読み取り、第２アクセス部１６２を介してメモリカード１２から副コンテンツを読み取る。
【００４２】
制御部１６３は、光ディスク１１から読み取った再生判断情報の値が１であれば、主コンテンツと副コンテンツとを、第３アクセス部１６４を介して可搬媒体１３に書き込む。そして、制御部１６３は、第１アクセス部１６１を介して、光ディスク１１の再生判断情報の値を、１から１でない値、例えば０に書き換える。
【００４３】
（４）第３アクセス部１６４
第３アクセス部１６４は、制御部１６３の指示に従い、可搬媒体１３に主コンテンツと副コンテンツとを書き込む。
【００４４】
（５）入力部１６５
入力部１６５は、ユーザの集約命令入力を受け付ける。
【００４５】
そして、入力部１６５は、ユーザから集約命令入力を受け取ると、制御部１６３を動作させる。
【００４６】
（６）表示部１６６
表示部１６６は、制御部１６３の処理が終了したら、その旨を表示してユーザに通知する。
【００４７】
再生装置１７の構成
図４は再生装置１７の構成を示す。図４に示すように、再生装置１７は、第１アクセス部１７０１と、第２アクセス部１７０２と、第３アクセス部１７０３と、制御部１７０４と、再生部１７０５と、入力部１７０６とを有する。
【００４８】
（１）第１アクセス部１７０１
第１アクセス部１７０１は、制御部１７０４の指示に従い、光ディスク１１から主コンテンツと再生判断情報とを読み取る。
【００４９】
（２）第２アクセス部１７０２
第２アクセス部１７０２は、制御部１７０４の指示に従い、メモリカード１２から副コンテンツを読み取る。
【００５０】
（３）第３アクセス部１７０３
第３アクセス部１７０３は、制御部１７０４の指示に従い、可搬媒体１３から主コンテンツと副コンテンツとを読み取る。
【００５１】
（４）制御部１７０４
制御部１７０４は、入力部１７０６からの指示に従い、以下の処理（ｉ）又は（ｉｉ）を行う。
【００５２】
（ｉ）再生部１７０５により、光ディスク１１に記録された主コンテンツとメモリカード１２に記録された副コンテンツとを連携して再生させる。
【００５３】
制御部１７０４は、第１アクセス部１７０１を介して、光ディスク１１から主コンテンツと再生判断情報とを読み取り、第２アクセス部１７０２を介して、メモリカード１２から副コンテンツを読み取る。そして、制御部１７０４は、光ディスク１１から読み取った再生判断情報の値が１であれば、制御部１７０４は、再生部１７０５により、主コンテンツと副コンテンツとを連携させて再生させ、外部へ出力させる。なお、再生判断情報の値が１でなければ、制御部１７０４は、再生部１７０５による、主コンテンツと副コンテンツとの再生を行わせない。
【００５４】
実施の形態１では、例えば、主コンテンツは映像と音声とからなるデジタルデータであって、副コンテンツは音声からなるデジタルデータである場合を想定する。その場合、制御部１７０４は、再生部１７０５により主コンテンツの音声を副コンテンツの音声に差し替えて再生させることにより、光ディスク１１に記録された主コンテンツと、メモリカード１２に記録された副コンテンツとを連携させて再生させる。
【００５５】
（ｉｉ）再生部１７０５により、可搬媒体１３に記録された主コンテンツと副コンテンツとを連携して再生させる。
【００５６】
制御部１７０４は、第３アクセス部１７０３を介して、可搬媒体１３から主コンテンツと副コンテンツとを読み取る。そして、制御部１７０４は、再生部１７０５により、主コンテンツと副コンテンツとを連携させて再生させ、外部へ出力させる。
【００５７】
（５）再生部１７０５
再生部１７０５は、制御部１７０４による制御により、主コンテンツと副コンテンツとを連携させて再生し、再生したデータを、再生部１７０５に接続されているモニタ１７１とスピーカ１７２とへ出力する。モニタ１７１及びスピーカ１７２は、再生部１７０５によって再生されたデータを外部に出力する。
【００５８】
（６）入力部１７０６
入力部１７０６は、ユーザから、光ディスク１１の再生命令、もしくは可搬媒体１３の再生命令を受け付ける。
【００５９】
そして、入力部１７０６は、光ディスク１１の再生命令を受け取ると、光ディスク１１に記録された主コンテンツと、メモリカード１２に記録された副コンテンツとを連携して再生するように、制御部１７０４を動作させる。
【００６０】
他方、入力部１７０６は、可搬媒体１３の再生命令を受け取ると、可搬媒体１３に記録された主コンテンツと副コンテンツとを連携して再生するように、制御部１７０４を動作させる。
【００６１】
集約システム１の動作
集約システム１の構成を述べた。以下に、集約システム１の動作として、集約装置１６及び再生装置１７の動作について詳細に述べる。
【００６２】
集約装置１６の動作
集約装置１６の動作について、図５に示すフローチャートを用いて説明する。
【００６３】
集約装置１６は、入力部１６５がユーザからの集約命令入力を受け取ると、以下の動作を行う。
【００６４】
まず、制御部１６３は、第１アクセス部１６１を介して光ディスク１１から主コンテンツと再生判断情報とを読み取り、第２アクセス部１６２を介してメモリカード１２から副コンテンツを読み取る（ステップＳ１０１）。
【００６５】
次に、制御部１６３は、光ディスク１１から読み取った再生判断情報の値が１であるか否かをチェックする（ステップＳ１０２）。再生判断情報の値が例えば０であって、１でなければ（ステップＳ１０２でＮｏ）、集約装置１６の動作は終了する。
【００６６】
他方、再生判断情報の値が１であれば（ステップＳ１０２でＹｅｓ）、制御部１６３は、主コンテンツと副コンテンツとを、第３アクセス部１６４を介して可搬媒体１３に書き込む（ステップＳ１０３）。
【００６７】
次に、制御部１６３は、第１アクセス部１６１を介して、光ディスク１１の再生判断情報の値を１でない値、例えば０に書き換える。（ステップＳ１０４）。
【００６８】
次に、表示部１６６は、主コンテンツと副コンテンツとの可搬媒体１３への書き込みが終了した旨を表示する（ステップＳ１０５）。これにより、集約装置１６の動作は終了する。
【００６９】
再生装置１７の動作
再生装置１７の動作について、図６に示すフローチャートを用いて説明する。
【００７０】
再生装置１７は、入力部１７０６が、ユーザから、光ディスク１１の再生命令、もしくは可搬媒体１３の再生命令を受け取ると、以下の動作を行う。
【００７１】
まず、入力部１７０６は、受け取った再生命令が光ディスク１１の再生命令であるのか、可搬媒体１３の再生命令であるのかをチェックする（ステップＳ１５１）。光ディスク１１の再生命令であれば、ステップＳ１５２へ移行し、可搬媒体１３の再生命令であれば、ステップＳ１５５へ移行する。
【００７２】
すなわち、入力部１７０６によって受け取られた再生命令が光ディスク１１の再生命令である場合（ステップＳ１５１でＮｏ）、制御部１７０４は、第１アクセス部１７０１を介して、光ディスク１１から主コンテンツと再生判断情報とを読み取り、第２アクセス部１７０２を介して、メモリカード１２から副コンテンツを読み取る（ステップＳ１５２）。
【００７３】
次に、制御部１７０４は、光ディスク１１から読み取った再生判断情報の値が１であるか否かをチェックする（ステップＳ１５３）。再生判断情報の値が例えば０であって１でなければ（ステップＳ１５３でＮｏ）、再生装置１７の動作は終了する。
【００７４】
再生判断情報の値が１であれば（ステップＳ１５３でＹｅｓ）、制御部１７０４は、再生部１７０５により、光ディスク１１から読み取った主コンテンツと、メモリカード１２から読み取った副コンテンツとを連携させて再生させる（ステップＳ１５４）。再生されたデータは、モニタ１７１とスピーカ１７２とによって外部に出力される。これにより、再生装置１７の動作は終了する。
【００７５】
それに対して、入力部１７０６によって受け取られた再生命令が可搬媒体１３の再生命令である場合（ステップＳ１５１でＹｅｓ）、制御部１７０４は、第３アクセス部１７０３を介して、可搬媒体１３から主コンテンツと副コンテンツとを読み取る（ステップＳ１５５）。そして、制御部１７０４は、再生部１７０５により、可搬媒体１３から読み取った主コンテンツと副コンテンツとを連携させて再生させる（ステップＳ１５６）。再生されたデータは、モニタ１７１とスピーカ１７２とによって外部に出力される。これにより、再生装置１７の動作は終了する。
【００７６】
集約システム１の動作検証
以下に、実施の形態１における集約システム１全体の動作について総括して説明する。
【００７７】
まず、集約装置１６は、光ディスク１１から主コンテンツと再生判断情報とを読み取り、メモリカード１２から副コンテンツを読み取る。光ディスク１１から読み取った再生判断情報の値が１であるとき、集約装置１６は、主コンテンツと副コンテンツとを可搬媒体１３に集約して記録し、光ディスク１１の再生判断情報の値を１以外の値に書き換える。
【００７８】
再生装置１７は、光ディスク１１に記録された主コンテンツとメモリカード１２に記録された副コンテンツとを再生する場合、光ディスク１１から主コンテンツと再生判断情報とを読み取り、メモリカード１２から副コンテンツを読み取る。再生判断情報の値が１であるとき、再生装置１７は、再生部１７０５により主コンテンツと副コンテンツとを連携させて再生させ、再生されたデータを外部へ出力させる。
【００７９】
他方、再生装置１７は、可搬媒体１３に記録された主コンテンツと副コンテンツとを再生する場合、可搬媒体１３から主コンテンツと副コンテンツとを読み取り、再生部１７０５により両方のコンテンツを連携させて再生させる。
【００８０】
その結果、ユーザは、光ディスク１１に記録された主コンテンツとメモリカード１２に記録された副コンテンツとを連携させて再生させることができる。加えて、持ち運びのときの利便性を高めるために、ユーザは、光ディスク１１に記録された主コンテンツとメモリカード１２に記録された副コンテンツとを可搬媒体１３に集約して記録し、可搬媒体１３に記録した主コンテンツと副コンテンツとを連携させて再生させることが可能となる。
【００８１】
実施の形態１における効果
実施の形態１では、集約装置１６は、光ディスク１１に記録された主コンテンツとメモリカード１２に記録された副コンテンツとを可搬媒体１３に集約して記録した後、光ディスク１１に記録されている再生判断情報を、１から１でない値に書き換える。再生装置１７は、光ディスク１１に記録された再生判断情報の値が１以外のときには、光ディスク１１に記録されている主コンテンツを再生しない。
【００８２】
これにより、可搬媒体１３に主コンテンツと副コンテンツとを集約して記録すると、可搬媒体１３に記録された主コンテンツと副コンテンツとを再生することはできるが、光ディスク１１に記録された主コンテンツは再生することはできない。その結果、集約システム１では、従来技術と異なり、集約装置１６が光ディスク１１に記録された主コンテンツとメモリカード１２に記録された副コンテンツとを可搬媒体１３に集約して記録しても、集約後は、集約前に光ディスク１１に記録された主コンテンツは再生されない。したがって、コンテンツの著作権が保護される。
【００８３】
変形例
実施の形態１は、本発明の実施の形態の一例として十分に説明したが、様々な改変及び変更が当業者にとって明らかである。したがって、その改変及び変更が本発明の範囲から逸脱しない限り、それらはその中に含まれると解釈される。以下のような変更も本発明の実施の形態に含まれる。
【００８４】
（１）図７に示すように、光ディスク１１ａにはＤＶＤのファイルシステムやＣＤのＴａｂｌｅ  Ｏｆ  Ｃｏｎｔｅｎｔｓ（ＴＯＣ）情報のような、光ディスク１１ａから主コンテンツを読み出すために必要な情報がインデックス情報として記録されている場合、集約装置１６は、主コンテンツと副コンテンツとを可搬媒体１３に集約して記録した後に、光ディスク１１ａに記録された主コンテンツの再生を防止する目的で、光ディスク１１ａのインデックス情報を消去もしくは書き換えを行なってもよい。
【００８５】
具体的には、例えば、光ディスク１１ａには、図７に示すように、インデックス情報の一例としてのＴＯＣ情報が、主コンテンツと共に記録されている場合を想定する。集約装置１６において、制御部１６３が、第１アクセス部１６１を介して、光ディスク１１ａから主コンテンツを読み取り、第２アクセス部１６２を介して、メモリカード１２から副コンテンツを読み取り、第３アクセス部１６４を介して、可搬媒体１３に主コンテンツと副コンテンツとを書き込む。その後、制御部１６３が、第１アクセス部１６１を介して、光ディスク１１ａのＴＯＣ情報を消去する。
【００８６】
再生装置１７では、光ディスク１１ａに記録された主コンテンツとメモリカード１２に記録された副コンテンツとを再生する場合、制御部１７０４は、第１アクセス部１７０１を介して、光ディスク１１ａから主コンテンツとＴＯＣ情報とを読み取り、第２アクセス部１７０２を介して、メモリカード１２から副コンテンツを読み取る。ＴＯＣ情報が消去されていなければ、制御部１７０４は、再生部１７０５により、光ディスク１１ａに記録された主コンテンツとメモリカード１２に記録された副コンテンツとを連携させて再生させ、再生されたデータをモニタ１７１及びスピーカ１７２を介して外部へ出力させる。
【００８７】
他方、可搬媒体１３に記録された主コンテンツと副コンテンツとを再生する場合、制御部１７０４は、第３アクセス部１７０３を介して、可搬媒体１３から主コンテンツと副コンテンツとを読み取り、再生部１７０５により、主コンテンツと副コンテンツとを連携させて再生させ、再生されたデータをモニタ１７１及びスピーカ１７２を介して外部へ出力させる。
【００８８】
これにより、主コンテンツと副コンテンツとの集約後は、光ディスク１１ａのＴＯＣ情報が消去され、光ディスク１１ａに記録された主コンテンツを再生することができなくなるので、実施の形態１における効果と同様の効果が得られる。なお、ここまではＴＯＣ情報が消去される場合について説明したが、ＴＯＣ情報等のインデックス情報は書き換えられてもよい。インデックス情報が消去されても書き換えられても、同様の効果が得られる。また、インデックス情報が消去もしくは書き換えられるだけでなく、主コンテンツも消去もしくは書き換えられてもよい。
【００８９】
（２）さらに、図８は、暗号化された主コンテンツとその復号鍵とが光ディスク１１ｂに記録されている例を示す。その場合、集約装置１６は、主コンテンツと副コンテンツとを集約した後、光ディスク１１ｂの復号鍵を消去もしくは書き換えてもよい。
【００９０】
具体的には、例えば、暗号化主コンテンツＥＣＮＴ＝Ｓｙｍ（Ｋ，ＣＮＴ）と、復号鍵Ｋ’とが、光ディスク１１ｂに記録されている。暗号化主コンテンツは、主コンテンツＣＮＴに、暗号鍵Ｋを用いて、ＤＥＳ暗号方式のような共通鍵暗号アルゴリズムＳｙｍを施して生成されている。ここで、共通鍵暗号アルゴリズムでは、暗号鍵Ｋと復号鍵Ｋ’とは同じ値である。
【００９１】
集約装置１６において、制御部１６３が、第１アクセス部１６１を介して、光ディスク１１ｂから暗号化主コンテンツＥＣＮＴと復号鍵Ｋ’とを読み取り、第２アクセス部１６２を介して、メモリカード１２から副コンテンツＳＣＮＴを読み取り、第３アクセス部１６４を介して、可搬媒体１３に、暗号化主コンテンツＥＣＮＴと、復号鍵Ｋ’と、副コンテンツＳＣＮＴとを書き込む。その後、制御部１６３は、第１アクセス部１６１を介して、光ディスク１１ｂの復号鍵Ｋ’を消去する。
【００９２】
再生装置１７では、制御部１７０４が、主コンテンツＣＮＴの暗号化時に用いられた共通鍵暗号アルゴリズムＳｙｍを有している。光ディスク１１ｂに記録された主コンテンツとメモリカード１２に記録された副コンテンツとを再生する場合、制御部１７０４は、第１アクセス部１７０１を介して、光ディスク１１ｂから暗号化主コンテンツＥＣＮＴと復号鍵Ｋ’とを読み取り、第２アクセス部１７０２を介して、メモリカード１２から副コンテンツＳＣＮＴを読み取る。復号鍵Ｋ’が消去されていなければ、制御部１７０４は、暗号化主コンテンツＥＣＮＴに対して、復号鍵Ｋ’を用いて共通鍵暗号アルゴリズムＳｙｍを施すことにより、暗号化主コンテンツＥＣＮＴを主コンテンツＣＮＴ＝Ｓｙｍ（Ｋ’，ＥＣＮＴ）に復号する。そして、制御部１７０４は、再生部１７０５により、復号した主コンテンツ、つまり光ディスク１１ｂに記録された主コンテンツと、メモリカード１２に記録された副コンテンツとを連携させて再生させ、再生されたデータをモニタ１７１及びスピーカ１７２を介して外部へ出力させる。
【００９３】
それに対して、可搬媒体１３に記録された主コンテンツと副コンテンツとを再生する場合、制御部１７０４は、第３アクセス部１７０３を介して、可搬媒体１３から暗号化主コンテンツＥＣＮＴと復号鍵Ｋ’と副コンテンツＳＣＮＴとを読み取り、暗号化主コンテンツＥＣＮＴに対して、復号鍵Ｋ’を用いて共通鍵暗号アルゴリズムＳｙｍを施すことにより、暗号化主コンテンツＥＣＮＴを主コンテンツＣＮＴ＝Ｓｙｍ（Ｋ’，ＥＣＮＴ）に復号する。そして、制御部１７０４は、再生部１７０５により、復号した主コンテンツと副コンテンツとを連携させて再生させ、再生されたデータをモニタ１７１及びスピーカ１７２を介して外部へ出力させる。
【００９４】
共通鍵暗号及びＤＥＳ暗号方式については、岡本龍明、山本博資、「現代暗号」（シリーズ／情報科学の数学、産業図書、１９９７）に詳しく述べられているため、ここでは詳細な説明は省略する。
【００９５】
これにより、主コンテンツと副コンテンツとの集約後は、光ディスク１１ｂに記録された復号鍵は消去され、光ディスク１１ｂに記録された暗号化主コンテンツは正しく復号できず、従って再生できなくなるので、実施の形態１における効果と同様の効果が得られる。なお、ここまでは復号鍵Ｋ’が消去される場合について説明したが、復号鍵Ｋ’は書き換えられてもよい。復号鍵が消去される場合も書き換えられる場合も、同様の効果が得られる。また、復号鍵が消去もしくは書き換えられるだけでなく、暗号化された主コンテンツも消去もしくは書き換えられてもよい。
【００９６】
なお、用いる暗号化アルゴリズムは、共通鍵暗号アルゴリズムに限らず、公開鍵暗号アルゴリズムでもよい。
【００９７】
（３）さらに、上述の変形例（２）において、集約装置１６は暗号化主コンテンツＥＣＮＴを復号してもよい。すなわち、集約装置１６において、制御部１６３が、共通鍵暗号アルゴリズムＳｙｍを有し、暗号化主コンテンツＥＣＮＴに対して、復号鍵Ｋ’を用いて共通鍵暗号アルゴリズムＳｙｍを施し、暗号化主コンテンツＥＣＮＴを主コンテンツＣＮＴに復号する。また、制御部１６３は、第３アクセス部１６４を介して、可搬媒体１３に、復号した主コンテンツＣＮＴと副コンテンツＳＣＮＴとを書き込む。
【００９８】
光ディスク１１ｂに記録された主コンテンツとメモリカード１２に記録された副コンテンツとを再生する場合、再生装置１７において、制御部１７０４は、上述したように、第１アクセス部１７０１を介して、光ディスク１１ｂから暗号化主コンテンツＥＣＮＴと復号鍵Ｋ’とを読み取り、第２アクセス部１７０２を介して、メモリカード１２から副コンテンツＳＣＮＴを読み取る。復号鍵Ｋ’が消去されていなければ、制御部１７０４は、暗号化主コンテンツＥＣＮＴに対して、復号鍵Ｋ’を用いて共通鍵暗号アルゴリズムＳｙｍを施すことにより、暗号化主コンテンツＥＣＮＴを主コンテンツＣＮＴ＝Ｓｙｍ（Ｋ’，ＥＣＮＴ）に復号する。そして、制御部１７０４は、再生部１７０５により、復号した主コンテンツ、つまり光ディスク１１ｂに記録された主コンテンツと、メモリカード１２に記録された副コンテンツとを連携させて再生させ、再生されたデータをモニタ１７１及びスピーカ１７２を介して外部へ出力させる。
【００９９】
それに対して、可搬媒体１３に記録された主コンテンツと副コンテンツとを再生する場合、制御部１７０４は、第３アクセス部１７０３を介して、可搬媒体１３から主コンテンツＣＮＴと副コンテンツＳＣＮＴとを読み取る。そして、制御部１７０４は、再生部１７０５により、主コンテンツＣＮＴと副コンテンツＳＣＮＴとを連携させて再生させ、再生されたデータをモニタ１７１及びスピーカ１７２を介して外部へ出力させる。
【０１００】
これにより、変形例（２）と同様に、実施の形態１における効果と同様の効果が得られる。
【０１０１】
（４）さらに、図９は、光ディスク１１ｃに、破壊されると光ディスク１１ｃの再生ができなくなるヒューズが設けられている例を示す。この場合、集約装置１６は、主コンテンツと副コンテンツとを集約した後に光ディスク１１ｃのヒューズを破壊して光ディスク１１ｃが再生できないようにしてもよい。これは、例えば、集約装置１６の第１アクセス部１６１が、光ディスク１１ｃに強力なレーザビームを照射してヒューズを破壊することによって実現できる。
【０１０２】
具体的には、例えば、光ディスク１１ｃには、破壊されると光ディスク１１ｃの再生ができなくなるものの一例として、外部と非接触通信を行うＩＣチップが設けられている。この場合、主コンテンツと副コンテンツとを集約した後に、集約装置１６の第１アクセス部１６１が、強力なレーザビームを照射して、光ディスク１１ｃのＩＣチップを破壊する。
【０１０３】
これにより、主コンテンツと副コンテンツとを集約した後は、光ディスク１１ｃに設けられたＩＣチップが破壊され、光ディスク１１ｃに記録された主コンテンツを再生することができなくなるので、実施の形態１における効果と同様の効果が得られる。
【０１０４】
なお、ヒューズが破壊されるだけでなく、主コンテンツの記録領域も破壊されてもよい。
【０１０５】
（５）さらに、光ディスク１１には複数の主コンテンツと、再生判断情報との組が存在し、集約装置１６は、光ディスク１１に存在する複数の主コンテンツを、メモリカード１２に存在する１以上の副コンテンツと共に可搬媒体１３に集約して記録してもよい。これは、例えば、集約装置１６において、制御部１６３が、第１アクセス部１６１を介して複数の主コンテンツを読み取り、第２アクセス部１６２を介して１以上の副コンテンツを読み取り、光ディスク１１の再生判断情報の値に応じて、第３アクセス部１６４を介して複数の主コンテンツと１以上の副コンテンツとを可搬媒体１３に記録し、第１アクセス部１６１を介して、光ディスク１１の再生判断情報を書き換えることによって実現できる。
【０１０６】
これにより、シリーズ物等の複数のコンテンツを、１以上の副コンテンツと共に集約することが可能となる。
【０１０７】
さらに、繰り返して視聴を行う複数のコンテンツを、この方法によりハードディスク等に集約して記録すると、再生装置１７への記録媒体の入れ換えの必要がなくなり、よりユーザの利便性が大きくなる。
【０１０８】
（６）光ディスク１１に記録される再生判断情報の初期値は、１以外の値であってもよい。要するに、再生判断情報の初期値は再生の許可を示す値でありさえすればよい。
【０１０９】
例えば、再生判断情報の初期値をＹｅｓとし、集約装置１６の制御部１６３は、光ディスク１１の主コンテンツを、メモリカード１２の副コンテンツと共に可搬媒体１３に集約して記録した後に、再生判断情報の値はＮｏに書き換えられてもよい。
【０１１０】
なお、光ディスク１１に記録される情報の形式と、可搬媒体１３、又は可搬媒体１３と置き換えられる記録媒体に記録される情報の形式とは同一であってもよい。例えば、情報は、どの記録媒体にもＭＰＥＧ２のデータフォーマットで記録される。
【０１１１】
（実施の形態２）
次に、本発明の実施の形態２の集約システム２について、図１０〜図１４を用いて説明する。
【０１１２】
この集約システム２は、集約装置が複数の記録媒体に記録されたコンテンツを他の記録媒体へ集約を行うに際して、集約後は、元の記録媒体に記録されたコンテンツと、他の記録媒体へ集約されたコンテンツとを同時には再生しない。
【０１１３】
集約システム２の概要
最初に、図１０を用いて実施の形態２の集約システム２の概要を説明する。図１０は、実施の形態２の集約システム２の構成を示すブロック図である。
【０１１４】
図１０において、光ディスク２１には映画等のコンテンツが主コンテンツとして暗号化されて記録されており、復号鍵記憶媒体２１１には暗号化された主コンテンツを復号するための復号鍵が記録されている。メモリカード２２には光ディスク２１に記録された主コンテンツと連携させる音声データ等の副コンテンツが記録可能であり、可搬媒体２３はＤＶＤ−ＲＡＭ等の、情報の記録が可能な可搬媒体である。なお、可搬媒体２３は、リムーバブルなＨＤＤであってもよいし、ノンリムーバブルなＨＤＤ等の記録媒体に置き換えられてもよい。
【０１１５】
コンテンツ提供者は、暗号化主コンテンツを光ディスク２１に記録し、復号鍵記憶媒体２１１とともに販売する等の配布手段によってユーザに暗号化主コンテンツを配布し、主コンテンツと連携させる副コンテンツをサーバ２４からインターネット２８を介して配布する。
【０１１６】
他方、ユーザは、副コンテンツ取得装置２５を用いて、副コンテンツをサーバ２４からインターネット２８を介して取得してメモリカード２２に記録する。そして、ユーザは、再生装置２７を用いて、復号鍵記憶媒体２１１に記録された復号鍵を利用して光ディスク２１に記録された暗号化主コンテンツを復号し、メモリカード２２に記録した副コンテンツと連携して再生し、視聴する。
【０１１７】
ユーザは、持ち運びのときの利便性を高めるために、集約装置２６を用いて、光ディスク２１に記録された暗号化主コンテンツとメモリカード２２に記録された副コンテンツとを、可搬媒体２３に集約して記録することができる。ユーザは、可搬媒体２３に記録された暗号化主コンテンツと副コンテンツとを、再生装置２７を用いて、復号鍵記憶媒体２１１に記録された復号鍵を利用して再生し、視聴することができる。復号鍵記憶媒体２１１に記録された復号鍵は他の記録媒体にはコピーできず、光ディスク２１に記録されたコンテンツや可搬媒体２３に記録されたコンテンツを再生するためには、復号鍵記憶媒体２１１に記録された復号鍵が必要である。これにより、集約システム２は、光ディスク２１に記録されたコンテンツと可搬媒体２３に記録されたコンテンツとを、同時に複数の再生装置により再生しない。
【０１１８】
すなわち、この集約システム２は、ユーザが複数の記録媒体に記録されたコンテンツを他の記録媒体へ集約して記録した後は、複数の記録媒体に記録されたコンテンツと、他の記録媒体へ集約して記録されたコンテンツとを同時に再生しないことにより、コンテンツの著作権を保護するシステムである。
【０１１９】
実施の形態２の集約システム２の概要を説明した。以下に、集約システム２の詳細を説明する。
【０１２０】
集約システム２の構成
集約システム２は、図１０に示すように、光ディスク２１と、復号鍵記憶媒体２１１と、メモリカード２２と、可搬媒体２３と、サーバ２４と、副コンテンツ取得装置２５と、集約装置２６と、再生装置２７とを有し、サーバ２４と副コンテンツ取得装置２５とはインターネット２８を介して接続されている。
【０１２１】
光ディスク２１の構成
光ディスク２１は、ＤＶＤ−ＲＡＭ等の、情報の記録が可能な可搬媒体であり、暗号化主コンテンツが記録されている。
【０１２２】
具体的には、暗号化主コンテンツＥＣＮＴ＝Ｓｙｍ（Ｋ，ＣＮＴ）が、光ディスク２１に記録されている。暗号化主コンテンツは、暗号化方法の一例として、主コンテンツＣＮＴに、暗号鍵Ｋを用いて、ＤＥＳ暗号方式のような共通鍵暗号アルゴリズムＳｙｍを施して生成されている。以降は、この例を用いて説明を行う。
【０１２３】
なお、共通鍵暗号及びＤＥＳ暗号方式については、岡本龍明、山本博資、「現代暗号」シリーズ／情報科学の数学、産業図書、１９９７、に詳しく述べられているため、ここでは詳細な説明は省略する。
【０１２４】
復号鍵記憶媒体２１１の構成
復号鍵記憶媒体２１１は、ＳＤカード等の、情報の記録が可能な記憶媒体である。復号鍵記憶媒体２１１には、光ディスク２１に記録された暗号化主コンテンツを復号するための復号鍵が記録されている。ここで、復号鍵記憶媒体２１１に記録された復号鍵はコピーできないものと仮定する。
【０１２５】
具体的には、暗号鍵Ｋに対応する復号鍵Ｋ’が復号鍵記憶媒体２１１に記録されていると仮定する。なお、共通鍵暗号アルゴリズムでは、暗号鍵Ｋと復号鍵Ｋ’とは同じ値である。
【０１２６】
メモリカード２２の構成
メモリカード２２は、ＳＤカード等の、情報の記録が可能な記録媒体であり、メモリカード２２には、副コンテンツ取得装置２５により、主コンテンツと連携させる副コンテンツが記録される。
【０１２７】
可搬媒体２３の構成
可搬媒体２３は、ＤＶＤ−ＲＡＭ等の、情報の記録が可能な可搬媒体である。可搬媒体２３には、集約装置２６により、光ディスク２１に記録されている暗号化主コンテンツとメモリカード２２に記録された副コンテンツとが集約して記録される。なお、可搬媒体２３は、上述したように、リムーバブルなＨＤＤであってもよいし、ノンリムーバブルなＨＤＤ等の記録媒体に置き換えられてもよい。要するに、可搬媒体２３、又は可搬媒体２３と置き換えられる記録媒体は、主コンテンツと副コンテンツとが集約して記録される記録媒体であればよい。
【０１２８】
サーバ２４の構成
サーバ２４は、光ディスク２１に記録された暗号化主コンテンツを復号して得られる主コンテンツと連携させる副コンテンツを蓄積しており、副コンテンツ取得装置２５に対して副コンテンツの提供を行う。
【０１２９】
副コンテンツ取得装置２５の構成
副コンテンツ取得装置２５は、サーバ２４から、インターネット２８を介して副コンテンツを取得してメモリカード２２に記録する。
【０１３０】
集約装置２６の構成
図１１は集約装置２６の構成を示す。図１１に示すように、集約装置２６は、第１アクセス部２６１と、第２アクセス部２６２と、制御部２６３と、第３アクセス部２６４と、入力部２６５と、表示部２６６とを有する。
【０１３１】
（１）第１アクセス部２６１
第１アクセス部２６１は、制御部２６３の指示に従い、光ディスク２１から暗号化主コンテンツの読み取りを行う。
【０１３２】
（２）第２アクセス部２６２
第２アクセス部２６２は、制御部２６３の指示に従い、メモリカード２２から副コンテンツの読み取り行う。
【０１３３】
（３）制御部２６３
制御部２６３は、第１アクセス部２６１を介して光ディスク２１から暗号化主コンテンツを読み取り、第２アクセス部２６２を介してメモリカード２２から副コンテンツを読み取る。
【０１３４】
そして、制御部２６３は、暗号化主コンテンツと副コンテンツとを、第３アクセス部２６４を介して可搬媒体２３に書き込む。
【０１３５】
（４）第３アクセス部２６４
第３アクセス部２６４は、制御部２６３の指示に従い、可搬媒体２３に暗号化主コンテンツと副コンテンツとを書き込む。
【０１３６】
（５）入力部２６５
入力部２６５は、ユーザの集約命令入力を受け付ける。
【０１３７】
そして、入力部２６５は、ユーザから集約命令入力を受け取ると、制御部２６３を動作させる。
【０１３８】
（６）表示部２６６
表示部２６６は、制御部２６３による暗号化主コンテンツ及び副コンテンツの可搬媒体２３への書き込みが終了したら、その旨を表示してユーザに通知する。
【０１３９】
再生装置２７の構成
図１２は再生装置２７の構成を示す。再生装置２７は、図１２に示すように、第１アクセス部２７０１と、第２アクセス部２７０２と、第３アクセス部２７０３と、制御部２７０４と、再生部２７０５と、入力部２７０６と、復号鍵アクセス部２７０７とを有する。
【０１４０】
（１）第１アクセス部２７０１
第１アクセス部２７０１は、制御部２７０４の指示に従い、光ディスク２１から暗号化主コンテンツを読み取る。
【０１４１】
（２）第２アクセス部２７０２
第２アクセス部２７０２は、制御部２７０４の指示に従い、メモリカード２２から副コンテンツを読み取る。
【０１４２】
（３）第３アクセス部２７０３
第３アクセス部２７０３は、制御部２７０４の指示に従い、可搬媒体２３から暗号化主コンテンツと副コンテンツとを読み取る。
【０１４３】
（４）制御部２７０４
制御部２７０４は、入力部２７０６からの指示に従い、以下の（ｉ）又は（ｉｉ）の処理を行う。
【０１４４】
（ｉ）再生部２７０５により、光ディスク２１に記録された暗号化主コンテンツを復号することにより得られる主コンテンツと、メモリカード２２に記録された副コンテンツとを連携して再生させる。
【０１４５】
制御部２７０４は、第１アクセス部２７０１を介して、光ディスク２１から暗号化主コンテンツを読み取り、第２アクセス部２７０２を介して、メモリカード２２から副コンテンツを読み取り、更に、復号鍵アクセス部２７０７を介して、復号鍵記憶媒体２１１から復号鍵を読み取る。そして、制御部２７０４は、暗号化主コンテンツを復号鍵を用いて復号し、再生部２７０５により、復号することによって得られた主コンテンツと副コンテンツとを連携させて再生させ、再生したデータを外部へ出力させる。
【０１４６】
具体的な復号処理方法としては、制御部２７０４は、主コンテンツＣＮＴを暗号化するために用いられた共通鍵暗号アルゴリズムＳｙｍを有しており、復号鍵記憶媒体２１１から読み取った復号鍵Ｋ’を用いて、暗号化主コンテンツＥＣＮＴを主コンテンツＣＮＴ＝Ｓｙｍ（Ｋ’，ＥＣＮＴ）に復号する。
【０１４７】
実施の形態２では、例えば、主コンテンツは映像と音声とからなるデジタルデータであって、副コンテンツは音声からなるデジタルデータである場合を想定する。その場合、制御部２７０４は、再生部２７０５により、主コンテンツの音声を副コンテンツの音声に差し替えて再生させることにより、光ディスク２１に記録された主コンテンツと、メモリカード２２に記録された副コンテンツとを連携させて再生させる。
【０１４８】
（ｉｉ）再生部２７０５により、可搬媒体２３に記録された暗号化主コンテンツを復号することにより得られる主コンテンツと、可搬媒体２３に記録された副コンテンツとを連携して再生させる。
【０１４９】
制御部２７０４は、第３アクセス部２７０３を介して、可搬媒体２３から暗号化主コンテンツと副コンテンツとを読み取り、復号鍵アクセス部２７０７を介して、復号鍵記憶媒体２１１から復号鍵を読み取る。そして、制御部２７０４は、暗号化主コンテンツを復号鍵を用いて復号し、再生部２７０５により、復号することによって得られた主コンテンツと副コンテンツとを連携させて再生させ、再生したデータを外部へ出力させる。
【０１５０】
なお、具体的な復号処理方法と、主コンテンツと副コンテンツとを連携して再生させる方法は、上記（ｉ）と同様である。
【０１５１】
（５）再生部２７０５
再生部２７０５は、制御部２７０４による制御により、主コンテンツと副コンテンツとを連携させて再生し、再生したデータを、再生部２７０５に接続されているモニタ２７１とスピーカ２７２とへ出力する。モニタ２７１及びスピーカ２７２は、再生部２７０５によって再生されたデータを外部に出力する。
【０１５２】
（６）入力部２７０６
入力部２７０６は、ユーザから、光ディスク２１の再生命令、もしくは可搬媒体２３の再生命令を受け付ける。
【０１５３】
そして、入力部２７０６は、光ディスク２１の再生命令を受け取ると、光ディスク２１に記録された暗号化主コンテンツを復号して得られる主コンテンツと、メモリカード２２に記録された副コンテンツとを連携して再生するように、制御部２７０４を動作させる。
【０１５４】
他方、入力部２７０６は、可搬媒体２３の再生命令を受け取ると、可搬媒体２３に記録された暗号化主コンテンツを復号して得られる主コンテンツと、可搬媒体２３に記録された副コンテンツとを連携して再生するように、制御部２７０４を動作させる。
【０１５５】
（７）復号鍵アクセス部２７０７
復号鍵アクセス部２７０７は、制御部２７０４の指示に従い、復号鍵記憶媒体２１１から復号鍵を読み取る。
【０１５６】
集約システム２の動作
集約システム２の構成を述べた。以下に、集約システム２の動作として、集約装置２６及び再生装置２７の動作について詳細に述べる。
【０１５７】
集約装置２６の動作
集約装置２６の動作について、図１３に示すフローチャートを用いて説明する。
【０１５８】
集約装置２６は、入力部２６５がユーザからの集約命令入力を受け取ると、以下の動作を行う。
【０１５９】
まず、制御部２６３は、第１アクセス部２６１を介して光ディスク２１から暗号化主コンテンツを読み取り、第２アクセス部２６２を介してメモリカード２２から副コンテンツを読み取る（ステップＳ２０１）。
【０１６０】
次に、制御部２６３は、暗号化主コンテンツと副コンテンツとを、第３アクセス部２６４を介して可搬媒体２３に書き込む（ステップＳ２０２）。
【０１６１】
次に、表示部２６６は、暗号化主コンテンツと副コンテンツとの可搬媒体２３への書き込みが終了した旨を表示する（ステップＳ２０３）。これにより、集約装置２６の動作は終了する。
【０１６２】
再生装置２７の動作
再生装置２７の動作について、図１４に示すフローチャートを用いて説明する。
【０１６３】
再生装置２７は、入力部２７０６が、ユーザから、光ディスク２１の再生命令、もしくは可搬媒体２３の再生命令を受け取ると、以下の動作を行う。
【０１６４】
まず、入力部２７０６は、受け取った再生命令が光ディスク２１の再生命令であるのか、可搬媒体２３の再生命令であるのかをチェックする（ステップＳ２５１）。光ディスク２１の再生命令であれば、ステップＳ２５２へ移行し、可搬媒体２３の再生命令であれば、ステップＳ２５４へ移行する。
【０１６５】
すなわち、入力部２７０６によって受け取られた再生命令が光ディスク２１の再生命令である場合（ステップＳ２５１でＮｏ）、制御部２７０４は、第１アクセス部２７０１を介して、光ディスク２１から暗号化主コンテンツを読み取り、第２アクセス部２７０２を介して、メモリカード２２から副コンテンツを読み取り、更に、復号鍵アクセス部２７０７を介して、復号鍵記憶媒体２１１から復号鍵を読み取る（ステップＳ２５２）。
【０１６６】
次に、制御部２７０４は、暗号化主コンテンツを復号鍵を用いて復号し、再生部２７０５により、復号することにより得られた主コンテンツと、副コンテンツとを連携させて再生させる（ステップＳ２５３）。再生されたデータは、モニタ２７１とスピーカ２７２とによって外部に出力される。これにより、再生装置２７の動作は終了する。
【０１６７】
他方、入力部２７０６によって受け取られた再生命令が可搬媒体２３の再生命令である場合（ステップＳ２５１でＹｅｓ）、制御部２７０４は、第３アクセス部２７０３を介して、可搬媒体２３から暗号化主コンテンツと副コンテンツとを読み取り、復号鍵アクセス部２７０７を介して、復号鍵記憶媒体２１１から復号鍵を読み取る（ステップＳ２５４）。そして、制御部２７０４は、暗号化された主コンテンツを復号鍵を用いて復号し、再生部２７０５により、復号することにより得られた主コンテンツと、副コンテンツとを連携させて再生させる（ステップＳ２５５）。再生されたデータは、モニタ２７１とスピーカ２７２とによって外部に出力される。これにより、再生装置２７の動作は終了する。
【０１６８】
集約システム２の動作検証
以下に、実施の形態２における集約システム２全体の動作について総括して説明する。
【０１６９】
まず、集約装置２６は、光ディスク２１から暗号化主コンテンツを読み取り、メモリカード２２から副コンテンツを読み取り、暗号化主コンテンツと副コンテンツとを可搬媒体２３に記録する。
【０１７０】
再生装置２７は、光ディスク２１に記録された暗号化主コンテンツとメモリカード２２に記録された副コンテンツとを再生する場合、光ディスク２１から暗号化主コンテンツを読み取り、メモリカード２２から副コンテンツを読み取り、復号鍵記憶媒体２１１から復号鍵を読み取って、暗号化主コンテンツを復号鍵を用いて復号する。その後、再生装置２７は、再生部２７０５により、復号することにより得られた主コンテンツと、副コンテンツとを連携させて再生させ、再生されたデータを外部へ出力させる。
【０１７１】
他方、再生装置２７は、可搬媒体２３に記録された暗号化主コンテンツと副コンテンツとを再生する場合、可搬媒体２３から暗号化主コンテンツと副コンテンツとを読み取り、更に復号鍵記憶媒体２１１から復号鍵を読み取って、暗号化主コンテンツを復号鍵を用いて復号する。その後、再生装置２７は、再生部２７０５により、復号することにより得られた主コンテンツと、副コンテンツとを連携させて再生させ、再生されたデータを外部へ出力させる。
【０１７２】
その結果、ユーザは、光ディスク２１に記録された暗号化主コンテンツをメモリカード２２に記録された副コンテンツと連携させて再生させることができる。加えて、持ち運びのときの利便性を高めるために、ユーザは、光ディスク２１に記録された主コンテンツとメモリカード２２に記録された副コンテンツとを可搬媒体２３に集約して記録し、可搬媒体２３に記録した主コンテンツと副コンテンツとを連携させて再生することができる。
【０１７３】
実施の形態２における効果
実施の形態２では、主コンテンツは暗号化されて光ディスク２１もしくは可搬媒体２３に記録されており、再生装置２７が、復号鍵記憶媒体２１１からコピーすることができない復号鍵を読み取って、主コンテンツを再生する。
【０１７４】
これにより、可搬媒体２３に主コンテンツと副コンテンツとを集約して記録しても、主コンテンツの再生には復号鍵記憶媒体２１１が必要なため、光ディスク２１に記録された主コンテンツと可搬媒体２３に記録された主コンテンツとを同時に複数の再生装置により再生することはできない。その結果、従来技術と異なり、集約装置２６が、光ディスク２１に記録された主コンテンツとメモリカード２２に記録された副コンテンツとを可搬媒体２３に集約して記録しても、光ディスク２１に記録された主コンテンツと、可搬媒体２３に記録された主コンテンツとは同時に再生されない。そのため、コンテンツの著作権が保護される。
【０１７５】
変形例
実施の形態２は、本発明の実施の形態の一例として十分に説明したが、様々な改変及び変更が当業者にとって明らかである。したがって、その改変及び変更が本発明の範囲から逸脱しない限り、それらはその中に含まれると解釈される。以下のような変更も本発明の実施の形態に含まれる。
【０１７６】
（１）複数の主コンテンツａ、ｂ、ｃが複数の光ディスク２１ａ、２１ｂ、２１ｃに暗号化されて記録されて提供される場合、図１５に示すように、主コンテンツａ、ｂ、ｃそれぞれの復号鍵ａ、ｂ、ｃは、複数の復号鍵記憶媒体２１１ａ、２１１ｂ、２１１ｃに記録されて提供される。持ち運びの利便性を高めるために、図１６に示すように、これらの復号鍵ａ、ｂ、ｃを復号鍵記憶媒体２１１ｄに一括して記録し、元の復号鍵記憶媒体２１１ａ、２１１ｂ、２１１ｃに記録された復号鍵ａ、ｂ、ｃは消去してもよい。
【０１７７】
これにより、実施の形態２と同様の効果が得られる。加えて、ユーザが複数の光ディスクを持ち運ぶ際、それらのディスクを再生するために持ち運ぶべき復号鍵記憶媒体２１１の数が少なくなり、ユーザの利便性が大きくなる。
【０１７８】
（２）図１７は、本実施の形態において、復号鍵記憶媒体２１１に記録される復号鍵が光ディスク２１ａに暗号化主コンテンツと共に記録されている例を示す。集約装置２６は、光ディスク２１ａに記録された暗号化主コンテンツとメモリカード２２に記録された副コンテンツとを可搬媒体２３へ集約して記録する。すなわち、可搬媒体２３に記録された暗号化主コンテンツを再生するためには、光ディスク２１が必要である。なぜなら、復号鍵は光ディスク２１から読み取らなければならないからである。
【０１７９】
これにより、光ディスク２１に記録された主コンテンツと可搬媒体２３に記録された主コンテンツとは、同時に複数の再生装置により再生されないので、実施の形態２と同様の効果が得られる。
【０１８０】
（３）復号鍵は、復号鍵記憶媒体２１１に記録されておらず、再生装置２７が、光ディスク２１もしくは可搬媒体２３の再生時に、インターネット２８を介してサーバ２４から取得してもよい。
【０１８１】
これにより、復号鍵記憶媒体２１１を配布する手間やユーザが復号鍵記憶媒体２１１を管理する手間がなくなり、利便性が大きくなる。
【０１８２】
（４）また、上記（３）に関し、例えば、光ディスク２１と可搬媒体２３とには、図１８に示すようにそれぞれ固有の媒体ＩＤが記録されており、サーバ２４は、図１９に示すように、光ディスク２１の媒体ＩＤと光ディスク２１に記録された暗号化主コンテンツの復号鍵との組を、媒体ＩＤ毎に復号鍵リストとして管理してもよい。
【０１８３】
この場合、コンテンツを集約するとき、集約装置２６は、光ディスク２１の媒体ＩＤと可搬媒体２３の媒体ＩＤとを、インターネット２８を介してサーバ２４へ送信し、サーバ２４は、光ディスク２１の媒体ＩＤを含むエントリに対し、可搬媒体２３の媒体ＩＤを追加する。例えば、媒体ＩＤが１の光ディスク２１に記録された主コンテンツが、媒体ＩＤが５の可搬媒体２３に集約される場合、図２０に示される復号鍵リストが得られる。
【０１８４】
光ディスク２１もしくは可搬媒体２３を再生するに際し、再生装置２７は、光ディスク２１もしくは可搬媒体２３の媒体ＩＤをサーバ２４へ送信して対応する復号鍵を送信することを要求する。サーバ２４は、受け取った媒体ＩＤを利用して、復号鍵が光ディスク２１及び可搬媒体２３の再生に同時に使用されていないかどうかチェックする。具体的には、例えば２時間等の規定時間の間に光ディスク２１の媒体ＩＤと可搬媒体２３の媒体ＩＤとの双方が使われていないかどうかをチェックする。同時に使用されていなかったら、サーバ２４は対応する復号鍵を再生装置２７に送信する。
【０１８５】
これにより、主コンテンツと副コンテンツとを集約した後は、光ディスク２１に記録された暗号化主コンテンツの復号と可搬媒体２３に記録された暗号化主コンテンツの復号とは同時に実行できない。そのため、実施の形態２における効果と同様の効果が得られる。
【０１８６】
なお、媒体ＩＤは、光ディスク２１に記録されているコンテンツが何かを識別できれば他のものでもよい。例えば、コンテンツの名前やコンテンツのＩＤ等でもよい。
【０１８７】
（５）さらに、本実施の形態において復号鍵記憶媒体２１１に記録される復号鍵は、再生装置２７が、光ディスク２１の初回再生時にインターネット２８を介してサーバ２４から取得し、復号鍵記憶媒体２１１に記録してもよい。
【０１８８】
これにより、復号鍵が記録された状態の復号鍵記憶媒体２１１を配布する手間がなくなり、かつ再生装置２７が常時インターネット２８を介してサーバ２４へ接続できる環境になくても、実施の形態２と同様の効果が得られる。
【０１８９】
（６）さらに、光ディスク２１には複数の暗号化主コンテンツが存在するとともに、復号鍵記憶媒体２１１にも複数の対応する復号鍵が存在してもよい。集約装置２６は、複数の暗号化主コンテンツを、メモリカード２２に存在する１以上の副コンテンツと共に可搬媒体２３に集約して記録してもよい。これは、例えば、集約装置２６において、制御部２６３が、第１アクセス部２６１を介して複数の主コンテンツを読み取り、第２アクセス部２６２を介して１以上の副コンテンツを読み取り、第３アクセス部２６４を介して複数の主コンテンツと１以上の副コンテンツとを可搬媒体２３に記録することによって実現できる。
【０１９０】
これにより、シリーズ物等の複数のコンテンツを、１以上の副コンテンツと共に集約することが可能となる。
【０１９１】
さらに、繰り返して視聴を行う複数のコンテンツを、この方法によりハードディスク等に集約して記録すると、再生装置２７への記録媒体の入れ換えの必要がなくなり、よりユーザの利便性が大きくなる。
【０１９２】
（実施の形態３）
次に、本発明の実施の形態３の集約システム３について、図２１〜図２７を用いて説明する。
【０１９３】
この集約システム３は、集約装置が、複数の記録媒体に記録されたコンテンツを他の記録媒体へ集約を行うに際して、コンテンツ提供者が管理する、コンテンツの集約可否を示す集約判断情報に基づき、コンテンツを他の記録媒体に集約して記録する。
【０１９４】
集約システム３の概要
最初に、図２１を用いて実施の形態３の集約システム３の概要を説明する。図２１は、実施の形態３の集約システム３の構成を示すブロック図である。
【０１９５】
図２１において、光ディスク３１には映画等が主コンテンツとして記録されており、メモリカード３２には光ディスク３１に記録された主コンテンツと連携させる音声データ等の副コンテンツが記録可能であり、可搬媒体３３はＤＶＤ−ＲＡＭ等の、情報の記録が可能な可搬媒体である。可搬媒体３３は、リムーバブルなＨＤＤであってもよいし、ノンリムーバブルなＨＤＤ等の記録媒体に置き換えられてもよい。
【０１９６】
コンテンツ提供者は、主コンテンツを光ディスク３１に記録して販売するなどの配布手段によってユーザに主コンテンツを配布し、主コンテンツと連携させる副コンテンツをサーバ３４からインターネット３８を介してユーザに配布する。
【０１９７】
他方、ユーザは、副コンテンツ取得装置３５を用いて、副コンテンツをサーバ３４からインターネット３８を介して取得してメモリカード３２に記録する。そして、ユーザは、再生装置３７を用いて、光ディスク３１に記録された主コンテンツを、メモリカード３２に記録した副コンテンツと連携して再生し、視聴する。
【０１９８】
また、ユーザは、持ち運びのときの利便性を高めるために、集約装置３６を用いて、インターネット３８を介してサーバ３４に接続して主コンテンツの集約可否を示す集約判断情報を受信する。ユーザは、集約判断情報に基づき、光ディスク３１に記録された主コンテンツとメモリカード３２に記録された副コンテンツとを、可搬媒体３３に記録することができる。ユーザは、可搬媒体３３に記録された主コンテンツ及び副コンテンツも、再生装置３７を用いて連携して再生し、視聴することもできる。
【０１９９】
この集約システム３は、コンテンツ提供者が管理する、コンテンツの集約可否を示す集約判断情報に基づいて、ユーザが複数の記録媒体に記録されたコンテンツを他の記録媒体へ集約する際の制限を設け、コンテンツの著作権を保護するシステムである。
【０２００】
実施の形態３の集約システム３の概要を説明した。以下に集約システム３の詳細を説明する。
【０２０１】
集約システム３の構成
集約システム３は、図２１に示すように、光ディスク３１と、メモリカード３２と、可搬媒体３３と、サーバ３４と、副コンテンツ取得装置３５と、集約装置３６と、再生装置３７とを有し、サーバ３４と副コンテンツ取得装置３５とはインターネット３８を介して接続されている。サーバ３４は、インターネット３８を介して集約装置３６とも接続されている。
【０２０２】
光ディスク３１の構成
光ディスク３１は、ＤＶＤ−ＲＡＭ等の、情報の記録が可能な可搬媒体である。図２２に示すように、光ディスク３１には、主コンテンツが記録されている。そして、光ディスク３１には、光ディスク３１を一意に特定する媒体ＩＤも光ディスク３１の製造時に記録されている。
【０２０３】
ここで、媒体ＩＤは、集約装置３６及び再生装置３７により読み取ることはできるが書き換えや消去はできない。
【０２０４】
メモリカード３２の構成
メモリカード３２は、ＳＤカード等の、情報の記録が可能な記録媒体である。メモリカード３２には、副コンテンツ取得装置３５により、主コンテンツと連携させる副コンテンツが記録される。
【０２０５】
可搬媒体３３の構成
可搬媒体３３は、ＤＶＤ−ＲＡＭ等の、情報の記録が可能な可搬媒体である。可搬媒体３３には、集約装置３６により、光ディスク３１に記録された主コンテンツとメモリカード３２に記録された副コンテンツとが集約して記録される。なお、可搬媒体３３は、上述したように、リムーバブルなＨＤＤであってもよいし、ノンリムーバブルなＨＤＤ等の記録媒体に置き換えられてもよい。要するに、可搬媒体３３、又は可搬媒体３３と置き換えられる記録媒体は、主コンテンツと副コンテンツとが集約して記録される記録媒体でありさえすればよい。
【０２０６】
サーバ３４の構成
サーバ３４は、光ディスク３１に記録された主コンテンツと連携させる副コンテンツを蓄積しており、副コンテンツ取得装置３５に対して副コンテンツの提供を行う。
【０２０７】
また、サーバ３４は、図２３に示すような、媒体ＩＤと、集約判断情報との組のリストを保持している。集約判断情報は、媒体ＩＤを持つ光ディスク３１に記録された各主コンテンツを副コンテンツと共に可搬媒体３３に集約して記録してもよいかどうかを示す。
【０２０８】
サーバ３４は、集約装置３６からインターネット３８を介して媒体ＩＤを受信したら、上記集約判断情報のリストを参照し、その媒体ＩＤを持つ光ディスク３１に記録された主コンテンツの集約判断情報を、インターネット３８を介して集約装置３６へ送信する。
【０２０９】
副コンテンツ取得装置３５の構成
副コンテンツ取得装置３５は、サーバ３４から、インターネット３８を介して副コンテンツを取得してメモリカード３２に記録する。
【０２１０】
集約装置３６の構成
図２４は集約装置３６の構成を示す。集約装置３６は、図２４に示すように、第１アクセス部３６１と、第２アクセス部３６２と、制御部３６３と、第３アクセス部３６４と、入力部３６５と、表示部３６６と、送受信部３６７とを有する。
【０２１１】
（１）第１アクセス部３６１
第１アクセス部３６１は、制御部３６３の指示に従い、光ディスク３１から主コンテンツ及び媒体ＩＤの読み取りを行う。
【０２１２】
（２）第２アクセス部３６２
第２アクセス部３６２は、制御部３６３の指示に従い、メモリカード３２から副コンテンツの読み取り行う。
【０２１３】
（３）制御部３６３
制御部３６３は、第１アクセス部３６１を介して光ディスク３１から主コンテンツと媒体ＩＤとを読み取り、第２アクセス部３６２を介してメモリカード３２から副コンテンツを読み取る。
【０２１４】
そして、制御部３６３は、送受信部３６７を介して媒体ＩＤをサーバ３４へ送信して、サーバ３４からその媒体ＩＤに対応する集約判断情報を受信する。
【０２１５】
制御部３６３は、集約判断情報が、主コンテンツを副コンテンツと共に可搬媒体３３に集約して記録してもよいことを示していれば、主コンテンツと副コンテンツとを第３アクセス部３６４を介して可搬媒体３３に書き込む。
【０２１６】
（４）第３アクセス部３６４
第３アクセス部３６４は、制御部３６３の指示に従い、可搬媒体３３に主コンテンツと副コンテンツとを書き込む。
【０２１７】
（５）入力部３６５
入力部３６５は、ユーザから集約命令入力を受け付ける。
【０２１８】
そして、入力部３６５は、ユーザから集約命令入力を受け取ると、制御部３６３を動作させる。
【０２１９】
（６）表示部３６６
表示部３６６は、制御部３６３による主コンテンツ及び副コンテンツの可搬媒体３３への書き込みが終了したら、その旨を表示してユーザに通知する。
【０２２０】
（７）送受信部３６７
送受信部３６７は、制御部３６３の指示に従い、インターネット３８を介してサーバ３４に媒体ＩＤを送信し、インターネット３８を介してサーバ３４からその媒体ＩＤに対応する集約判断情報を受信する。
【０２２１】
再生装置３７の構成
図２５は再生装置３７の構成を示す。再生装置３７は、図２５に示すように、第１アクセス部３７０１と、第２アクセス部３７０２と、第３アクセス部３７０３と、制御部３７０４と、再生部３７０５と、入力部３７０６とを有する。
【０２２２】
（１）第１アクセス部３７０１
第１アクセス部３７０１は、制御部３７０４の指示に従い、光ディスク３１から主コンテンツを読み取る。
【０２２３】
（２）第２アクセス部３７０２
第２アクセス部３７０２は、制御部３７０４の指示に従い、メモリカード３２から副コンテンツを読み取る。
【０２２４】
（３）第３アクセス部３７０３
第３アクセス部３７０３は、制御部３７０４の指示に従い、可搬媒体３３から主コンテンツと副コンテンツとを読み取る。
【０２２５】
（４）制御部３７０４
制御部３７０４は、入力部３７０６からの指示に従い、以下の（ｉ）又は（ｉｉ）の処理を行う。
【０２２６】
（ｉ）再生部３７０５により、光ディスク３１に記録された主コンテンツと、メモリカード３２に記録された副コンテンツとを連携して再生させる。
【０２２７】
制御部３７０４は、第１アクセス部３７０１を介して、光ディスク３１から主コンテンツを読み取り、第２アクセス部３７０２を介して、メモリカード３２から副コンテンツを読み取る。そして、制御部３７０４は、再生部３７０５により、主コンテンツと副コンテンツとを連携させて再生させ、外部へ出力させる。
【０２２８】
（ｉｉ）再生部３７０５により、可搬媒体３３に記録された主コンテンツと副コンテンツとを連携して再生させる。
【０２２９】
制御部３７０４は、第３アクセス部３７０３を介して、可搬媒体３３から主コンテンツと副コンテンツとを読み取る。そして、制御部３７０４は、再生部３７０５により、主コンテンツと副コンテンツとを連携させて再生させ、外部へ出力させる。
【０２３０】
（５）再生部３７０５
再生部３７０５は、制御部３７０４による制御により、主コンテンツと副コンテンツとを連携させて再生し、再生したデータを、再生部３７０５に接続されているモニタ３７１とスピーカ３７２とへ出力する。モニタ３７１及びスピーカ３７２は、再生部３７０５によって再生されたデータを外部に出力する。
【０２３１】
（６）入力部３７０６
入力部３７０６は、ユーザから、光ディスク３１の再生命令、もしくは可搬媒体３３の再生命令を受け付ける。
【０２３２】
入力部３７０６は、光ディスク３１の再生命令を受け取ると、光ディスク３１に記録された主コンテンツと、メモリカード３２に記録された副コンテンツとを連携して再生するように、制御部３７０４を動作させる。
【０２３３】
他方、入力部３７０６は、可搬媒体３３の再生命令を受け取ると、可搬媒体３３に記録された主コンテンツと副コンテンツとを連携して再生するように、制御部３７０４を動作させる。
【０２３４】
集約システム３の動作
集約システム３の構成を述べた。以下に、集約システム３の動作として、集約装置３６及び再生装置３７の動作について詳細に述べる。
【０２３５】
集約装置３６の動作
集約装置３６の動作について、図２６に示すフローチャートを用いて説明する。
【０２３６】
集約装置３６は、入力部３６５がユーザからの集約命令入力を受け取ると、以下の動作を行う。
【０２３７】
まず、制御部３６３は、第１アクセス部３６１を介して光ディスク３１から主コンテンツと媒体ＩＤとを読み取り、第２アクセス部３６２を介してメモリカード３２から副コンテンツを読み取る（ステップＳ３０１）。
【０２３８】
次に、制御部３６３は、送受信部３６７を介して媒体ＩＤをサーバ３４へ送信して、サーバ３４からその媒体ＩＤに対応する集約判断情報を受信する（ステップＳ３０２）。
【０２３９】
次に、制御部３６３は、集約判断情報が、主コンテンツを副コンテンツと共に可搬媒体３３に集約して記録してもよいことを示しているかどうかをチェックする（ステップＳ３０３）。集約判断情報が集約して記録してよいことを示していなければ（ステップＳ３０３でＮｏ）、集約装置３６の動作は終了する。
【０２４０】
他方、集約判断情報が集約して記録してよいことを示していれば（ステップＳ３０３でＹｅｓ）、制御部３６３は、主コンテンツと副コンテンツとを、第３アクセス部３６４を介して可搬媒体３３に書き込む（ステップＳ３０４）。
【０２４１】
次に、表示部３６６は、主コンテンツと副コンテンツとの可搬媒体３３への書き込みが終了した旨を表示する（ステップＳ３０５）。これにより、集約装置３６の動作は終了する。
【０２４２】
再生装置３７の動作
再生装置３７の動作について、図２７に示すフローチャートを用いて説明する。
【０２４３】
再生装置３７は、入力部３７０６が、ユーザから、光ディスク３１の再生命令、もしくは可搬媒体３３の再生命令を受け取ると、以下の動作を行なう。
【０２４４】
まず、入力部３７０６は、受け取った再生命令が光ディスク３１の再生命令であるのか、可搬媒体３３の再生命令であるのかをチェックする（ステップＳ３５１）。光ディスク３１の再生命令であれば、ステップＳ３５２へ移行し、可搬媒体３３の再生命令であれば、ステップＳ３５４へ移行する。
【０２４５】
すなわち、入力部３７０６によって受け取られた再生命令が光ディスク３１の再生命令である場合（ステップＳ３５１でＮｏ）、制御部３７０４は、第１アクセス部３７０１を介して、光ディスク３１から主コンテンツを読み取り、第２アクセス部３７０２を介して、メモリカード３２から副コンテンツを読み取る（ステップＳ３５２）。
【０２４６】
次に、制御部３７０４は、再生部３７０５により、主コンテンツと副コンテンツとを連携させて再生させる（ステップＳ３５３）。再生されたデータは、モニタ３７１とスピーカ３７２とによって外部に出力される。これにより、再生装置３７の動作は終了する。
【０２４７】
他方、入力部３７０６によって受け取られた再生命令が可搬媒体３３の再生命令である場合（ステップＳ３５１でＹｅｓ）、制御部３７０４は、第３アクセス部３７０３を介して、可搬媒体３３から主コンテンツと副コンテンツとを読み取る（ステップＳ３５４）。そして、制御部３７０４は、再生部３７０５により、主コンテンツと副コンテンツとを連携させて再生させる（ステップＳ３５５）。再生されたデータは、モニタ３７１とスピーカ３７２とによって外部に出力される。これにより、再生装置３７の動作は終了する。
【０２４８】
集約システム３の動作検証
以下に、実施の形態３における集約システム３全体の動作について総括して説明する。
【０２４９】
まず、集約装置３６は、光ディスク３１から主コンテンツと媒体ＩＤとを読み取り、メモリカード３２から副コンテンツを読み取り、媒体ＩＤをサーバ３４へ送信し、サーバ３４からその媒体ＩＤに対応する集約判断情報を受信する。そして、集約判断情報が、主コンテンツを副コンテンツと共に可搬媒体３３に集約して記録してもよいことを示していれば、集約装置３６は主コンテンツと副コンテンツとを可搬媒体３３に記録する。
【０２５０】
再生装置３７は、光ディスク３１に記録された主コンテンツとメモリカード３２に記録された副コンテンツとを再生する場合、光ディスク３１から主コンテンツを読み取り、メモリカード３２から副コンテンツを読み取り、再生部３７０５により、主コンテンツと副コンテンツとを連携させて再生させ、再生されたデータを外部へ出力させる。
【０２５１】
他方、再生装置３７は、可搬媒体３３に記録された主コンテンツと副コンテンツとを再生する場合、可搬媒体３３から主コンテンツと副コンテンツとを読み取り、再生部３７０５により、主コンテンツと副コンテンツとを連携させて再生させ、再生されたデータを外部へ出力させる。
【０２５２】
その結果、ユーザは、光ディスク３１に記録された主コンテンツをメモリカード３２に記録された副コンテンツと連携させて再生させることができる。加えて、持ち運びのときの利便性を高めるために、ユーザは、光ディスク３１に記録された主コンテンツとメモリカード３２に記録された副コンテンツとを可搬媒体３３に集約して記録し、可搬媒体３３に記録した主コンテンツと副コンテンツとを連携させて再生させることができる。
【０２５３】
実施の形態３における効果
実施の形態３では、光ディスク３１には、主コンテンツと媒体ＩＤとが記録されており、集約装置３６は、媒体ＩＤに対応する集約判断情報に基づいて、主コンテンツと副コンテンツとを可搬媒体３３に記録する。
【０２５４】
これにより、集約判断情報が、主コンテンツを副コンテンツと共に可搬媒体３３に集約して記録してもよいことを示していない限り、主コンテンツと副コンテンツとを可搬媒体３３に記録することはできない。つまり、集約システム３は、従来技術と異なり、コンテンツ提供者が管理する集約判断情報に基づき、光ディスク３１に記録された主コンテンツとメモリカード３２に記録された副コンテンツとを可搬媒体３３へ集約するのに制限を設けている。これにより、コンテンツの著作権は保護される。
【０２５５】
変形例
実施の形態３は、本発明の実施の形態の一例として十分に説明したが、様々な改変及び変更が当業者にとって明らかである。したがって、その改変及び変更が本発明の範囲から逸脱しない限り、それらはその中に含まれると解釈される。以下のような変更も本発明の実施の形態に含まれる。
【０２５６】
（１）集約判断情報は、図２３に例示した情報に限定されるものではない。複数の副コンテンツそれぞれに、副コンテンツを識別する副コンテンツＩＤが含まれており、集約判断情報は、図２８に示すように、媒体ＩＤと副コンテンツＩＤとの組み合わせで決定されてもよい。すなわち、集約装置３６が、副コンテンツＩＤと媒体ＩＤとをサーバ３４へ送信し、サーバ３４が媒体ＩＤと副コンテンツＩＤとに基づいて決定される集約判断情報を集約装置３６へ送信する。
【０２５７】
これにより、主コンテンツと特定の副コンテンツとのみの集約を許諾するという、コンテンツ提供者の要求に応じることができる。
【０２５８】
（２）集約判断情報は、図２９に示すように、媒体ＩＤと集約に対するユーザへの課金の有無を示す情報とによって決定されてもよい。すなわち、集約装置３６は、媒体ＩＤとユーザを識別するユーザＩＤとをサーバ３４へ送信し、サーバ３４が媒体ＩＤとユーザＩＤにより特定されるユーザへの課金情報とに基づいた集約判断情報を集約装置３６へ送信する。
【０２５９】
これにより、複数の記録媒体に記録されたコンテンツを単一の記録媒体へ集約を行うに際して、コンテンツ提供者からの課金を受諾したユーザのみに集約を許諾するという、コンテンツ提供者の要求に応じることができる。
【０２６０】
なお、集約判断情報は、媒体ＩＤとユーザへの課金額とによって決定されてもよい。
（３）集約判断情報は、図３０に示すように、媒体ＩＤと、副コンテンツの取得に対するユーザへの課金の有無を示す情報と、集約に対するユーザへの課金の有無を示す情報とによって決定されてもよい。すなわち、集約装置３６は、ユーザを識別するユーザＩＤと媒体ＩＤとをサーバ３４へ送信し、サーバ３４が、媒体ＩＤと、ユーザＩＤにより特定される副コンテンツの取得に対するユーザへの課金の有無を示す情報と、ユーザＩＤにより特定される集約に対するユーザへの課金を示す情報とに基づいた集約判断情報を集約装置３６へ送信する。
【０２６１】
これにより、複数の記録媒体に記録されたコンテンツを単一の記録媒体へ集約を行うに際して、コンテンツ提供者からの副コンテンツの取得に対する課金及び集約に対する課金を受諾したユーザのみに集約を許諾するという、コンテンツ提供者の要求に応じることができる。
【０２６２】
（４）さらに、集約判断情報は、図３１に示すように、ユーザによる主コンテンツ及び副コンテンツの集約回数に応じて決定されてもよい。すなわち、集約装置３６は、ユーザを識別するユーザＩＤと媒体ＩＤとをサーバ３４へ送信し、サーバ３４が媒体ＩＤとユーザＩＤとにより特定されるユーザの主コンテンツ及び副コンテンツの集約回数に基づいた集約判断情報を集約装置３６へ送信する。つまり、サーバ３４が、ユーザを識別するユーザＩＤ毎に、主コンテンツ及び副コンテンツの集約回数として、集約装置３６からの媒体ＩＤの受信回数を管理し、集約装置３６が、ユーザＩＤと媒体ＩＤとをサーバ３４へ送信する。そして、サーバ３４が、媒体ＩＤとユーザＩＤとにより特定されるユーザの主コンテンツ及び副コンテンツの集約回数に基づいて決定された集約判断情報を集約装置３６へ送信する。
【０２６３】
これにより、複数の記録媒体に記録されたコンテンツを単一の記録媒体へ集約を行うに際して、単一の記録媒体への集約回数を制限するという、コンテンツ提供者の要求に応じることができる。
【０２６４】
（５）さらに、集約判断情報は、図３２に示すように、配布するために光ディスク３１に記録されてもよい。すなわち、集約装置３６は、媒体ＩＤをサーバ３４へ送信してサーバ３４から集約判断情報を受信する代わりに、光ディスク３１から集約判断情報を読み取ってもよい。
【０２６５】
これにより、集約装置３６がサーバ３４との通信を行わなくても、実施の形態３と同様の効果を得ることができる。
【０２６６】
なお、集約判断情報は、サーバ３４から副コンテンツ取得装置３５を介して取得された副コンテンツと共にメモリカード３２に記録されてもよい。
【０２６７】
また、集約装置３６は、ユーザによる主コンテンツ及び副コンテンツの規定集約回数を光ディスク３１もしくはメモリカード３２に記録しておき、実際に行なった集約回数がこの規定集約回数に達した場合、光ディスク３１に記録された集約判断情報を集約することができないように書き換えても良い。
【０２６８】
これにより、集約装置３６がサーバ３４との通信を行わなくても、単一の記録媒体へのコンテンツの集約回数を制限するという、コンテンツ提供者の要求に応じることができる。
【０２６９】
（６）光ディスク３１に記録される媒体ＩＤは、光ディスク３１に記録されているコンテンツが何かを識別できれば他のものでもよい。
【０２７０】
例えば、コンテンツの名前やコンテンツのＩＤ等でもよい。
（７）サーバ３４は、集約判断情報を送信する際、サーバ３４以外の装置が作成できないような情報をあわせて集約装置３６へ送信し、集約装置３６は、その情報を利用して集約判断情報が適正か否かを判断し、適正である場合にコンテンツの集約を行ってもよい。例えば、サーバ３４は、集約判断情報を集約装置３６へ送信する際、集約判断情報にデジタル署名を附して送信する。具体的には、サーバ３４は、自身の署名鍵を用いてデジタル署名を生成し、集約判断情報に、デジタル署名と、署名検証用公開鍵（もしくは署名検証用公開鍵の証明書）とを附す。そして、集約装置３６は、集約を行う前に、集約判断情報を署名検証鍵を用いて検証し、その検証が適正に行われればその集約判断情報に基づきコンテンツの集約を行う。
【０２７１】
また、サーバ３４は、集約を許諾する場合、自身の署名鍵を用いてデジタル署名を生成し、そのデジタル署名を署名検証用公開鍵（もしくは署名検証用公開鍵の証明書）とともに集約装置３６へ送信する。集約装置３６は、署名検証鍵を用いてデジタル署名を正しく検証できれば、集約が許諾されたとみなしてコンテンツの集約を行っても良い。
【０２７２】
（実施の形態４）
次に、本発明の実施の形態４の集約システム４について、図３３〜図３８を用いて説明する。
【０２７３】
この集約システム４は、集約装置が複数の記録媒体に記録されたコンテンツを他の記録媒体へ集約を行うに際して、他の記録媒体に記録されたコンテンツの利用を制限する。
【０２７４】
集約システム４の概要
最初に、図３３を用いて実施の形態４の集約システム４の概要を説明する。図３３は、実施の形態４の集約システム４の構成を示すブロック図である。
【０２７５】
図３３において、光ディスク４１には映画等のコンテンツが主コンテンツとして記録されており、メモリカード４２には光ディスク４１に記録された主コンテンツと連携させる音声データ等の副コンテンツが記録可能であり、可搬媒体４３はＤＶＤ−ＲＡＭ等の、情報の記録が可能な可搬媒体である。可搬媒体４３は、リムーバブルなＨＤＤであってもよいし、ノンリムーバブルなＨＤＤ等の記録媒体に置き換えられてもよい。
【０２７６】
コンテンツ提供者は、主コンテンツを光ディスク４１に記録して販売するなどの配布手段によってユーザに主コンテンツを配布し、主コンテンツと連携させる副コンテンツをサーバ４４からインターネット４８を介して配布する。
【０２７７】
他方、ユーザは、副コンテンツ取得装置４５を用いて、副コンテンツをサーバ４４からインターネット４８を介して取得してメモリカード４２に記録する。そして、ユーザは、再生装置４７を用いて、光ディスク４１に記録された主コンテンツを、メモリカード４２に記録した副コンテンツと連携して再生し、視聴する。
【０２７８】
ユーザは、持ち運びのときの利便性を高めるために、集約装置４６を用いて、光ディスク４１に記録された主コンテンツとメモリカード４２に記録された副コンテンツとを、可搬媒体４３に記録することができる。ユーザは、可搬媒体４３に記録された主コンテンツ及び副コンテンツも、再生装置４７を用いて、連携して再生し、視聴することができる。なお、可搬媒体４３に記録された主コンテンツは、利用が制限されている。例えば、主コンテンツの利用回数が制限されたり、ユーザが利用する際に課金される。
【０２７９】
この集約システム４は、複数の記録媒体に記録されたコンテンツが集約して記録された他の記録媒体をユーザが利用する際の
制限を設けることで、コンテンツの著作権を保護するシステムである。
【０２８０】
実施の形態４の集約システム４の概要を説明した。以下に、集約システム４の詳細を説明する。
【０２８１】
集約システム４の構成
集約システム４は、図３３に示すように、光ディスク４１と、メモリカード４２と、可搬媒体４３と、サーバ４４と、副コンテンツ取得装置４５と、集約装置４６と、再生装置４７とを有し、サーバ４４と副コンテンツ取得装置４５とはインターネット４８を介して接続されている。
【０２８２】
光ディスク４１の構成
光ディスク４１は、ＤＶＤ−ＲＡＭ等の、情報の記録が可能な可搬媒体である。ここでは、光ディスク４１には主コンテンツが記録されている。
【０２８３】
メモリカード４２の構成
メモリカード４２は、ＳＤカード等の、情報の記録が可能な記録媒体である。メモリカード４２には、副コンテンツ取得装置４５により、主コンテンツと連携させる副コンテンツが記録される。
【０２８４】
可搬媒体４３の構成
可搬媒体４３は、ＤＶＤ−ＲＡＭ等の、情報の記録が可能な可搬媒体である。可搬媒体４３には、集約装置４６により、光ディスク４１に記録されている主コンテンツとメモリカード４２に記録された副コンテンツとが集約して記録される。なお、可搬媒体４３は、上述したように、リムーバブルなＨＤＤであってもよいし、ノンリムーバブルなＨＤＤ等の記録媒体に置き換えられてもよい。要するに、可搬媒体４３、又は可搬媒体４３と置き換えられる記録媒体は、主コンテンツと副コンテンツとが集約して記録される記録媒体でありさえすればよい。
【０２８５】
図３４に示すように、可搬媒体４３には、可搬媒体４３が利用される毎に、可搬媒体４３の利用回数が記録される。
【０２８６】
なお、可搬媒体４３の利用回数の初期値は０とする。
サーバ４４の構成
サーバ４４は、光ディスク４１に記録された主コンテンツと連携させる副コンテンツを蓄積しており、副コンテンツ取得装置４５に対して副コンテンツの提供を行う。
【０２８７】
副コンテンツ取得装置４５の構成
副コンテンツ取得装置４５は、サーバ４４から、インターネット４８を介して副コンテンツを取得してメモリカード４２に記録する。
【０２８８】
集約装置４６の構成
図３５は集約装置４６の構成を示す。集約装置４６は、図３５に示すように、第１アクセス部４６１と、第２アクセス部４６２と、制御部４６３と、第３アクセス部４６４と、入力部４６５と、表示部４６６とを有する。
【０２８９】
（１）第１アクセス部４６１
第１アクセス部４６１は、制御部４６３の指示に従い、光ディスク４１から主コンテンツの読み取りを行う。
【０２９０】
（２）第２アクセス部４６２
第２アクセス部４６２は、制御部４６３の指示に従い、メモリカード４２から副コンテンツの読み取りを行う。
【０２９１】
（３）制御部４６３
制御部４６３は、第１アクセス部４６１を介して光ディスク４１から主コンテンツを読み取り、第２アクセス部４６２を介してメモリカード４２から副コンテンツを読み取る。
【０２９２】
そして、制御部４６３は、主コンテンツと副コンテンツとを第３アクセス部４６４を介して可搬媒体４３に書き込む。
【０２９３】
（４）第３アクセス部４６４
第３アクセス部４６４は、制御部４６３の指示に従い、可搬媒体４３に主コンテンツと副コンテンツとを書き込む。
【０２９４】
（５）入力部４６５
入力部４６５は、ユーザから集約命令入力を受け付ける。
【０２９５】
そして、入力部４６５は、ユーザから集約命令入力を受け取ると、制御部４６３を動作させる。
【０２９６】
（６）表示部４６６
表示部４６６は、制御部４６３による主コンテンツ及び副コンテンツの可搬媒体４３への書き込みが終了したら、その旨を表示してユーザに通知する。
【０２９７】
再生装置４７の構成
図３６は再生装置４７の構成を示す。図３６に示すように、再生装置４７は、第１アクセス部４７０１と、第２アクセス部４７０２と、第３アクセス部４７０３と、制御部４７０４と、再生部４７０５と、入力部４７０６と、規定回数記憶部４７０７とを有する。
【０２９８】
（１）第１アクセス部４７０１
第１アクセス部４７０１は、制御部４７０４の指示に従い、光ディスク４１から主コンテンツを読み取る。
【０２９９】
（２）第２アクセス部４７０２
第２アクセス部４７０２は、制御部４７０４の指示に従い、メモリカード４２から副コンテンツを読み取る。
【０３００】
（３）第３アクセス部４７０３
第３アクセス部４７０３は、制御部４７０４の指示に従い、可搬媒体４３から主コンテンツと、副コンテンツと、可搬媒体４３の利用回数とを読み取る。
【０３０１】
第３アクセス部４７０３は、制御部４７０４の指示に従い、可搬媒体４３へ、可搬媒体４３の利用回数を書き込む。
【０３０２】
また、第３アクセス部４７０３は、制御部４７０４の指示に従い、可搬媒体４３に記録された主コンテンツを消去する。
【０３０３】
（４）制御部４７０４
制御部４７０４は、入力部４７０６からの指示に従い、以下の（ｉ）又は（ｉｉ）の処理を行う。
【０３０４】
（ｉ）再生部４７０５により、光ディスク４１に記録された主コンテンツと、メモリカード４２に記録された副コンテンツとを連携して再生させる。
【０３０５】
制御部４７０４は、第１アクセス部４７０１を介して、光ディスク４１から主コンテンツを読み取り、第２アクセス部４７０２を介して、メモリカード４２から副コンテンツを読み取る。そして、制御部４７０４は、再生部４７０５により、主コンテンツと副コンテンツとを連携させて再生させ、外部へ出力させる。
【０３０６】
（ｉｉ）再生部４７０５により、可搬媒体４３に記録された主コンテンツと副コンテンツとを連携して再生させる。
【０３０７】
制御部４７０４は、第３アクセス部４７０３を介して、可搬媒体４３から主コンテンツと、副コンテンツと、可搬媒体４３の利用回数とを読み取る。
【０３０８】
そして、制御部４７０４は、可搬媒体４３の利用回数を１回増加させ、第３アクセス部４７０３を介して、１回増加させた可搬媒体４３の利用回数を可搬媒体４３へ書き込む。
【０３０９】
そして、制御部４７０４は、再生部４７０５により、主コンテンツと副コンテンツとを連携させて再生させ、外部へ出力させる。
【０３１０】
制御部４７０４は、可搬媒体４３の利用回数が例えば３回等の規定利用回数に達していれば、第３アクセス部４７０３を介して、可搬媒体４３に記録された、主コンテンツと副コンテンツとを消去する。なお、上記規定利用回数は、すなわちユーザが可搬媒体４３を利用することができる上限回数は、規定回数記憶部４７０７に記憶されている。
【０３１１】
（５）再生部４７０５
再生部４７０５は、制御部４７０４による制御により、主コンテンツと副コンテンツとを連携させて再生し、再生したデータを、再生部４７０５に接続されているモニタ４７１とスピーカ４７２とへ出力する。モニタ４７１及びスピーカ４７２は、再生部４７０５によって再生されたデータを外部に出力する。
【０３１２】
（６）入力部４７０６
入力部４７０６は、ユーザから、光ディスク４１の再生命令、もしくは可搬媒体４３の再生命令を受け付ける。
【０３１３】
入力部４７０６は、光ディスク４１の再生命令を受け取ると、光ディスク４１に記録された主コンテンツと、メモリカード４２に記録された副コンテンツとを連携して再生するように、制御部４７０４を動作させる。
【０３１４】
他方、入力部４７０６は、可搬媒体４３の再生命令を受け取ると、可搬媒体４３に記録された主コンテンツと副コンテンツとを連携して再生するように、制御部４７０４を動作させる。
【０３１５】
（７）規定回数記憶部４７０７
規定回数記憶部４７０７は、ユーザが可搬媒体４３を利用することが可能な上記規定利用回数を記憶する。
【０３１６】
実施の形態４では、規定利用回数は規定回数記憶部４７０７に記憶されている場合を想定するが、規定利用回数はメモリカード等の記録媒体に記録されていてもよい。要するに、規定利用回数は制御部４７０４が利用することができるものでありさえすればよい。従って、規定利用回数は、制御部４７０４によってインターネット４８を介して取得されてもよいし、制御部４７０４に記憶されていてもよい。
【０３１７】
集約システム４の動作
集約システム４の構成を述べた。以下に、集約システム４の動作として、集約装置４６及び再生装置４７の動作について詳細に述べる。
【０３１８】
集約装置４６の動作
集約装置４６の動作について、図３７に示すフローチャートを用いて説明する。
【０３１９】
集約装置４６は、入力部４６５がユーザからの集約命令入力を受け取ると、以下の動作を行う。
【０３２０】
まず、制御部４６３は、第１アクセス部４６１を介して光ディスク４１から主コンテンツを読み取り、第２アクセス部４６２を介してメモリカード４２から副コンテンツを読み取る（ステップＳ４０１）。
【０３２１】
次に、制御部４６３は、主コンテンツと副コンテンツとを、第３アクセス部４６４を介して可搬媒体４３に書き込む（ステップＳ４０２）。
【０３２２】
次に、表示部４６６は、主コンテンツと副コンテンツとの可搬媒体４３への書き込みが終了した旨を表示する（ステップＳ４０３）。これにより、集約装置４６の動作は終了する。
【０３２３】
再生装置４７の動作
再生装置４７の動作について、図３８に示すフローチャートを用いて説明する。
【０３２４】
再生装置４７は、入力部４７０６が、ユーザから、光ディスク４１の再生命令、もしくは可搬媒体４３の再生命令を受け取ると、以下の動作を行う。
【０３２５】
まず、入力部４７０６は、受け取った再生命令が光ディスク４１の再生命令であるのか、可搬媒体４３の再生命令であるのかをチェックする（ステップＳ４５１）。光ディスク４１の再生命令であれば、ステップＳ４５２へ移行し、可搬媒体４３の再生命令であれば、ステップＳ４５４へ移行する。
【０３２６】
すなわち、入力部４７０６によって受け取られた再生命令が光ディスク４１の再生命令である場合（ステップＳ４５１でＮｏ）、制御部４７０４は、第１アクセス部４７０１を介して、光ディスク４１から主コンテンツを読み取り、第２アクセス部４７０２を介して、メモリカード４２から副コンテンツを読み取る（ステップＳ４５２）。
【０３２７】
次に、制御部４７０４は、再生部４７０５により、主コンテンツと副コンテンツとを連携させて再生させる（ステップＳ４５３）。再生されたデータは、モニタ４７１とスピーカ４７２とによって外部に出力される。これにより、再生装置４７の動作は終了する。
【０３２８】
他方、入力部４７０６によって受け取られた再生命令が可搬媒体４３の再生命令である場合（ステップＳ４５１でＹｅｓ）、制御部４７０４は、第３アクセス部４７０３を介して、可搬媒体４３から主コンテンツと、副コンテンツと、可搬媒体４３の利用回数とを読み取る（ステップＳ４５４）。そして、制御部４７０４は、可搬媒体４３の利用回数を１回増加させ、第３アクセス部４７０３を介して、１回増加させた可搬媒体４３の利用回数を可搬媒体４３へ書き込む（ステップＳ４５５）。
【０３２９】
そして、制御部４７０４は、規定回数記憶部４７０７から、ユーザが可搬媒体４３を利用することが可能な最大回数である規定利用回数を読み取る（ステップＳ４５６）。
【０３３０】
そして、制御部４７０４は、可搬媒体４３の利用回数が規定利用回数に達しているかどうかをチェックする（ステップＳ４５７）。利用回数が規定利用回数に達していれば（ステップＳ４５７でＹｅｓ）、制御部４７０４は、第３アクセス部４７０３を介して、可搬媒体４３に記録された、主コンテンツと副コンテンツとを消去する（ステップＳ４５８）。これにより、再生装置４７の動作は終了する。
【０３３１】
他方、可搬媒体４３の利用回数が規定利用回数に達していなければ（ステップＳ４５７でＮｏ）、制御部４７０４は、再生部４７０５により、主コンテンツと副コンテンツとを連携させて再生させる（ステップＳ４５９）。再生されたデータは、モニタ４７１とスピーカ４７２とによって外部に出力される。これにより、再生装置４７の動作は終了する。
【０３３２】
集約システム４の動作検証
以下に、実施の形態４における集約システム４全体の動作について総括して説明する。
【０３３３】
まず、集約装置４６は、光ディスク４１から主コンテンツを読み取り、メモリカード４２から副コンテンツを読み取り、主コンテンツと副コンテンツとを可搬媒体４３に記録する。
【０３３４】
再生装置４７は、光ディスク４１に記録された主コンテンツとメモリカード４２に記録された副コンテンツとを再生する場合、光ディスク４１から主コンテンツを読み取り、メモリカード４２から副コンテンツを読み取り、再生部４７０５により、主コンテンツと副コンテンツとを連携させて再生させ、再生されたデータを外部へ出力させる。
【０３３５】
他方、再生装置４７は、可搬媒体４３に記録された主コンテンツと副コンテンツとを再生する場合、可搬媒体４３から主コンテンツと副コンテンツとを読み取り、再生部４７０５により、主コンテンツと副コンテンツとを連携させて再生させ、再生されたデータを外部へ出力させる。なお、再生装置４７は、可搬媒体４３が規定回数利用されると、可搬媒体４３へ記録された主コンテンツ及び副コンテンツを消去する。
【０３３６】
その結果、ユーザは、光ディスク４１に記録された主コンテンツをメモリカード４２に記録された副コンテンツと連携させて再生させることができる。加えて、持ち運びのときの利便性を高めるために、光ディスク４１に記録された主コンテンツとメモリカード４２に記録された副コンテンツとを可搬媒体４３に集約して記録することにより、可搬媒体４３に記録した主コンテンツと副コンテンツとを連携させて再生させることも可能となる。
【０３３７】
実施の形態４における効果
実施の形態４では、可搬媒体４３には、可搬媒体４３の利用回数が記録される。再生装置４７は、この可搬媒体４３を利用する毎に、可搬媒体４３に記録される利用回数を更新する。この利用回数が規定回数に達したら、可搬媒体４３に記録されている主コンテンツ及び副コンテンツは可搬媒体４３から消去される。
【０３３８】
これにより、他の記録媒体に集約して記録されたコンテンツは、規定利用回数内でしか再生できない。この結果、集約システム４は、従来技術と異なり、再生装置が他の記録媒体に記録されたコンテンツの利用を制限することで、コンテンツの著作権を保護する。
【０３３９】
変形例
実施の形態４は、本発明の実施の形態の一例として十分に説明したが、様々な改変及び変更が当業者にとって明らかである。したがって、その改変及び変更が本発明の範囲から逸脱しない限り、それらはその中に含まれると解釈される。以下のような変更も本発明の実施の形態に含まれる。
【０３４０】
（１）本実施の形態では、再生装置４７は、可搬媒体４３を利用する毎に可搬媒体４３に記録される利用回数を１回増加し、利用回数が規定回数に達したら主コンテンツ及び副コンテンツを消去する。しかしながら、可搬媒体４３に主コンテンツ及び副コンテンツを集約して記録するとき、可搬媒体４３に規定利用回数を記録し、可搬媒体４３を利用する毎に可搬媒体４３に記録された規定回数を１回減少し、規定回数が０に達したら主コンテンツ及び副コンテンツを消去してもよい。
【０３４１】
（２）可搬媒体４３が、可搬媒体４３の利用時間を測定する時計を備えているとともに、可搬媒体４３に規定時間が記録されており、利用時間が規定時間に達したら、再生装置４７は主コンテンツ及び副コンテンツを消去してもよい。また、可搬媒体４３に主コンテンツ及び副コンテンツが集約して記録されるとき、可搬媒体４３にその規定時間が記録されてもよい。この場合、再生装置４７は、可搬媒体４３を利用する毎に、可搬媒体４３に記録された残りの再生時間から可搬媒体４３を実際に利用した時間を減少し、残りの再生時間が０に達したら主コンテンツ及び副コンテンツを消去してもよい。
【０３４２】
（３）再生装置４７は、可搬媒体４３を利用する際、利用時間が所定の最低利用時間を超えたら、可搬媒体４３に記録される利用回数を１回増加させてもよい。
【０３４３】
また、可搬媒体４３には利用総時間が記録され、利用総時間が規定時間に達したら、再生装置４７は主コンテンツ及び副コンテンツを消去してもよい。
【０３４４】
さらに、これらの条件を複合して用いて、全部の条件を満たしたら、再生装置４７は主コンテンツ及び副コンテンツを消去してもよい。
【０３４５】
（４）なお、可搬媒体４３に記録される利用回数は、改竄を防ぐために暗号化して記録されてもよいし、可搬媒体４３に記録される情報全体が暗号化して記録されてもよい。
【０３４６】
また、可搬媒体４３が再生装置４７と相互に認証するためのＣＰＵを備えてもよい。ＣＰＵが再生装置４７と相互に認証した場合、可搬媒体４３への読み込みや書き込みのアクセスを許可する。このようにすれば、データを改竄する不正な再生装置とはデータのやり取りを行わなくなるので、改竄を防止できる。
【０３４７】
（５）可搬媒体４３の利用可能回数の上限を示す規定利用回数は、固定値でなくてもよく、コンテンツ毎に光ディスク４１に予め記録されていて、コンテンツの集約時にそれが可搬媒体４３に記録されてもよい。また、規定利用回数は、インターネット４８を介して、サーバ４４から取得されてもよい。
【０３４８】
（６）さらに、光ディスク４１に記録されている主コンテンツは暗号化されていてもよい。光ディスク４１には、暗号化された主コンテンツを復号するための復号鍵、及び媒体ＩＤも記録されていてもよい。そのような状況の下、復号鍵が媒体ＩＤと共にサーバ４４で管理され、再生装置４７はインターネット４８を介してサーバ４４とアクセスすることができ、集約装置４６は可搬媒体４３には復号鍵を記録せずに暗号化された主コンテンツと媒体ＩＤとのみを記録してもよい。その場合、再生装置４７は、可搬媒体４３を再生する際、その媒体ＩＤに対応する復号鍵をサーバ４４から取得するために、サーバ４４に媒体ＩＤを送信し、取得した復号鍵を利用して可搬媒体４３に記録された暗号化された主コンテンツを復号した上で、主コンテンツを再生する。
【０３４９】
なお、光ディスク４１に記録される媒体ＩＤは、光ディスク４１に記録されている主コンテンツが何かを識別できれば他のＩＤでもよい。例えば、コンテンツの名前やコンテンツのＩＤ等でもよい。
【０３５０】
その際、ユーザのコンテンツの利用に対して課金処理が行われてもよい。
これにより、コンテンツ提供者からの課金を受諾したユーザのみに、複数の記録媒体に記録されたコンテンツを単一の記録媒体へ集約して記録されたコンテンツの利用を許諾するという、コンテンツ提供者の要求に応じることができる。
【０３５１】
その他の変形例
上述した実施の形態１から実施の形態４は、本発明の実施の形態の一例として十分に説明したが、様々な改変及び変更が当業者にとって明らかである。したがって、その改変及び変更が本発明の範囲から逸脱しない限り、それらはその中に含まれると解釈される。以下のような変更も本発明の実施の形態に含まれる。
【０３５２】
（１）光ディスク１１（もしくは光ディスク２１、３１、４１。以降光ディスクと記述する。）は複数あり、複数の光ディスクに主コンテンツが記録されていてもよい。可搬媒体１３（もしくは可搬媒体２３、３３、４３。以降可搬媒体と記述する。）は複数あり、複数の可搬媒体に主コンテンツと副コンテンツとが集約されて記録されてもよい。
【０３５３】
（２）上述した実施の形態１から実施の形態４では、副コンテンツ取得装置１５（もしくは副コンテンツ取得装置２５、３５、４５。以降副コンテンツ取得装置と記述する。）が、副コンテンツをメモリカード１２（もしくはメモリカード２２、３２、４２。以降メモリカードと記述する。）に記録して、集約装置１６（もしくは集約装置２６、３６、４６。以降集約装置と記述する。）もしくは再生装置１７（もしくは再生装置２７、３７、４７。以降再生装置と記述する。）が、メモリカードを介して副コンテンツを読み取る。しかしながら、集約装置もしくは再生装置は自身でインターネット１８（もしくはインターネット２８、３８、４８）を介してサーバ１４（もしくはサーバ２４、３４、４４）から副コンテンツを取得してもよい。
【０３５４】
（３）副コンテンツ取得装置１５（もしくは副コンテンツ取得装置２５、３５、４５。以降副コンテンツ取得装置と記述する。）が、サーバ１４（もしくはサーバ２４、３４、４４。以降サーバと記述する。）から副コンテンツを取得する際には、サーバと副コンテンツ取得装置とは互いに認証及び鍵共有を行い、安全に副コンテンツが取得されるようにしてもよい。
【０３５５】
具体的には、例えば、サーバと副コンテンツ取得装置とは公開鍵証明書を有している場合を想定する。副コンテンツ取得装置は、サーバから副コンテンツを取得する際には、サーバに自身の公開鍵証明書を送信し、サーバの公開鍵証明書を受信する。そして、副コンテンツ取得装置及びサーバは、それぞれお互いの公開鍵証明書を検証し、その検証後に、Ｄｉｆｆｉｅ−Ｈｅｌｌｍａｎ鍵交換プロトコルにより、一時鍵ＣＫを共有する。その後、サーバは、副コンテンツを一時鍵ＣＫで暗号化して副コンテンツ取得装置に送信する。副コンテンツ取得装置は、一時鍵ＣＫを用いて暗号化された副コンテンツを復号して、元の副コンテンツを得る。
【０３５６】
なお、公開鍵証明書については、山田信一郎、「ディジタル署名と暗号技術」（株式会社ピアソン・エデュケーション・ジャパン、ｐ．１５９〜Ｐ．２１４、１９９７）に詳細が説明されており、Ｄｉｆｆｉｅ−Ｈｅｌｌｍａｎ鍵交換については、岡本龍明、山本博資、「現代暗号」（シリーズ／情報科学の数学、産業図書、１９９７）に詳細が説明されているので、ここでは詳細な説明は省略する。
【０３５７】
これにより、副コンテンツが安全に取得されるので、コンテンツの著作権はより強く保護される。
【０３５８】
（４）上述した実施の形態では、集約装置１６（もしくは集約装置２６、３６、４６。以降集約装置と記述する。）が主コンテンツと副コンテンツとを可搬媒体１３（もしくは可搬媒体２３、３３、４３。以降可搬媒体と記述する。）へ集約して記録する。集約装置が主コンテンツと副コンテンツとを可搬媒体へ書き込む。しかしながら、再生装置１７（もしくは再生装置２７、３７、４７）が主コンテンツと副コンテンツとを連携して再生することができれば、他の方法が用いられてもよい。
【０３５９】
例えば、上述したように、主コンテンツの音声を副コンテンツの音声に差し替えて再生することにより、主コンテンツと副コンテンツとを連携させて再生する場合、集約装置は、可搬媒体へは主コンテンツの映像データ部と副コンテンツの音声データ部とのみを記録してもよい。
【０３６０】
（５）上述した実施の形態では、再生装置１７（もしくは再生装置２７、３７、４７。以降再生装置と記述。）は、主コンテンツの音声データを副コンテンツの音声データに差し替えることにより、主コンテンツと副コンテンツとを連携して再生する。しかしながら、再生装置が主コンテンツを副コンテンツの情報を反映して再生すれば、他の方法が用いられてもよい。
【０３６１】
例えば、主コンテンツは映像と音声とからなるデジタルデータであって、副コンテンツは字幕からなるデジタルデータである場合、再生装置は、主コンテンツの映像に副コンテンツの字幕を加えて再生してもよい。
【０３６２】
（６）さらに、集約装置１６（もしくは集約装置２６、３６、４６。）は、可搬媒体１３（もしくは可搬媒体２３、３３、４３。）に集約して記録したコンテンツと、別のメモリカード１２ｚに記録された副コンテンツとを更に集約して、別の可搬媒体１３ｚに記録してもよい。
【０３６３】
具体的には、例えば、可搬媒体１３にコンテンツを集約して記録する際に、集約装置１６は、可搬媒体１３にも再生判断情報を記録してその初期値を１とする。そして、第１アクセス部１６１が可搬媒体１３から集約されたコンテンツを読み取り、第２アクセス部１６２がメモリカード１２ｚから副コンテンツを読み取り、第３アクセス部１６４が集約されたコンテンツと副コンテンツとを  更に集約して可搬媒体１３ｚに書き込み、集約後は可搬媒体１３の再生判断情報を書き換える。このようにすれば、可搬媒体１３に集約して記録したコンテンツと、メモリカード１２ｚに記録された副コンテンツとを更に集約して可搬媒体１３ｚに記録することができる。可搬媒体１３は再生できなくなるので、さらなる集約を行っても実施の形態１と同様にコンテンツの著作権は保護される。
【０３６４】
また、例えば、第１アクセス部２６１が可搬媒体２３から集約したコンテンツを読み取り、第２アクセス部２６２がメモリカード１２ｚから副コンテンツを読み取り、第３アクセス部２６４が集約したコンテンツと副コンテンツとをさらに集約して可搬媒体１３ｚに書き込む。このようにすれば、可搬媒体２３に集約して記録したコンテンツと、メモリカード１２ｚに記録された副コンテンツとをさらに集約して可搬媒体１３ｚに記録することができる。可搬媒体２３もしくは可搬媒体１３ｚの再生には、復号鍵記憶媒体２１１が必要であるので、上記のようにさらなる集約を行っても、実施の形態２と同様にコンテンツの著作権は保護される。
【０３６５】
また、例えば、可搬媒体３３にコンテンツを集約する際に、集約装置３６は、光ディスク３１から読み取った媒体ＩＤを可搬媒体３３に記録し、第１アクセス部３６１が可搬媒体３３から集約したコンテンツを読み取り、第２アクセス部３６２がメモリカード１２ｚから副コンテンツを読み取り、第３アクセス部３６４が集約したコンテンツと副コンテンツとをさらに集約して可搬媒体１３ｚに書き込む。このようにすれば、可搬媒体３３に集約して記録したコンテンツと、メモリカード１２ｚに記録された副コンテンツとをさらに集約して可搬媒体１３ｚに記録することができる。可搬媒体３３には、光ディスク３１から読み取った媒体ＩＤが記録されており、集約装置３６は、この媒体ＩＤと集約判断情報とに基づいて可搬媒体１３ｚに集約して記録するか否かを決定するので、上記のようにさらなる集約を行っても実施の形態３と同様にコンテンツの著作権は保護される。
【０３６６】
また、例えば、第１アクセス部４６１が可搬媒体４３から集約したコンテンツ及び利用回数を読み取り、第２アクセス部４６２がメモリカード１２ｚから副コンテンツを読み取り、第３アクセス部４６４が集約したコンテンツと副コンテンツとをさらに集約して利用回数と共に可搬媒体１３ｚに書き込み、可搬媒体４３の利用回数を０に書き換える。このようにすれば、可搬媒体４３に集約して記録したコンテンツと、メモリカード１２ｚに記録された副コンテンツとをさらに集約して可搬媒体１３ｚに記録することができる。また、可搬媒体４３に記録されている利用回数が可搬媒体１３ｚに引き継がれて記録されるため、上記のようにさらなる集約を行っても、実施の形態４と同様にコンテンツの著作権は保護される。
【０３６７】
その結果、コンテンツの著作権を保護しつつ、一旦可搬媒体１３（もしくは可搬媒体２３、３３、４３）へ集約したコンテンツと副コンテンツとを他の記録媒体にさらに集約して記録することができる。
【０３６８】
（７）本発明は、上記に示すいずれの方法であってもよい。また、これらの方法をコンピュータにより実現するコンピュータプログラムであってもよいし、前記コンピュータプログラムのデジタル信号であってもよい。
【０３６９】
本発明は、前記コンピュータプログラム又は前記デジタル信号が記録された、コンピュータ読み取り可能な記録媒体、例えば、半導体メモリ、ハードディスクドライブ、ＣＤ−ＲＯＭ、ＤＶＤ−ＲＯＭ、ＤＶＤ−ＲＡＭ等であってもよい。
【０３７０】
（８）上記実施の形態及び上記変形例をそれぞれ組み合わせてもよい。
上述したように、本発明は、従来技術では実現されなかった集約システムを提供することができ、その価値は大きい。
【産業上の利用可能性】
【０３７１】
本発明の集約システムは、複数の記録媒体に記録されたコンテンツを、それらコンテンツの著作権を保護して他の記録媒体へ集約し、又は集約したコンテンツをそのコンテンツの著作権を保護して再生するという効果を有する。その結果、本発明は、複数の記録媒体に記録されたコンテンツを集約して単一の記録媒体に記録する集約システム等として有用である。
【図面の簡単な説明】
【０３７２】
これら、並びに、発明の他の目的、効果、及び特徴は、発明の特定の実施の形態を説明する添付図面とともに行う説明から明らかである。
【図１】実施の形態１における集約システム１の構成を示す図である。
【図２】実施の形態１における光ディスク１１の構成を示す図である。
【図３】実施の形態１における集約装置１６の構成を示す図である。
【図４】実施の形態１における再生装置１７の構成を示す図である。
【図５】実施の形態１における集約装置１６の処理の流れを示す図である。
【図６】実施の形態１における再生装置１７の処理の流れを示す図である。
【図７】実施の形態１における光ディスク１１ａの構成を示す図である。
【図８】実施の形態１における光ディスク１１ｂの構成を示す図である。
【図９】実施の形態１における光ディスク１１ｃの構成を示す図である。
【図１０】実施の形態２における集約システム２の構成を示す図である。
【図１１】実施の形態２における集約装置２６の構成を示す図である。
【図１２】実施の形態２における再生装置２７の構成を示す図である。
【図１３】実施の形態２における集約装置２６の処理の流れを示す図である。
【図１４】実施の形態２における再生装置２７の処理の流れを示す図である。
【図１５】光ディスク２１ａ、２１ｂ、２１ｃ及び復号鍵記憶媒体２２１ａ、２２１ｂ、２２１ｃの構成を示す図である。
【図１６】復号鍵記憶媒体２２１ａ、２２１ｂ、２２１ｃに記録されている復号鍵ａ、ｂ、ｃを復号鍵記憶媒体２２１ｄに一括記録する処理を説明するための図である。
【図１７】実施の形態２における光ディスク２１ａの構成を示す図である。
【図１８】実施の形態２における光ディスク２１と可搬媒体２３の構成を示す図である。
【図１９】実施の形態２におけるサーバ２４が管理する復号鍵リストの一例を示す図である。
【図２０】実施の形態２におけるサーバ２４が管理する復号鍵リストの一例を示す図である。
【図２１】実施の形態３における集約システム３の構成を示す図である。
【図２２】実施の形態３における光ディスク３１の構成を示す図である。
【図２３】実施の形態３における媒体ＩＤと集約判断情報の一例を示す図である。
【図２４】実施の形態３における集約装置３６の構成を示す図である。
【図２５】実施の形態３における再生装置３７の構成を示す図である。
【図２６】実施の形態３における集約装置３６の処理の流れを示す図である。
【図２７】実施の形態３における再生装置３７の処理の流れを示す図である。
【図２８】実施の形態３における媒体ＩＤと副コンテンツＩＤと集約判断情報の一例を示す図である。
【図２９】実施の形態３における媒体ＩＤとユーザへの課金有無と集約判断情報の一例を示す図である。
【図３０】実施の形態３における媒体ＩＤとユーザへの課金有無と集約判断情報の一例を示す図である。
【図３１】実施の形態３における媒体ＩＤとユーザの集約回数を表す情報と集約判断情報の一例を示す図である。
【図３２】実施の形態３における光ディスク３１の別の構成を示す図である。
【図３３】実施の形態４における集約システム４の構成を示す図である。
【図３４】実施の形態４における可搬媒体４３の構成を示す図である。
【図３５】実施の形態４における集約装置４６の構成を示す図である。
【図３６】実施の形態４における再生装置４７の構成を示す図である。
【図３７】実施の形態４における集約装置４６の処理の流れを示す図である。
【図３８】実施の形態４における再生装置４７の処理の流れを示す図である。
【図１】
2006524406.tif 000003
【図２】
2006524406.tif 000004
【図３】
2006524406.tif 000005
【図４】
2006524406.tif 000006
【図５】
2006524406.tif 000007
【図６】
2006524406.tif 000008
【図７】
2006524406.tif 000009
【図８】
2006524406.tif 000010
【図９】
2006524406.tif 000011
【図１０】
2006524406.tif 000012
【図１１】
2006524406.tif 000013
【図１２】
2006524406.tif 000014
【図１３】
2006524406.tif 000015
【図１４】
2006524406.tif 000016
【図１５】
2006524406.tif 000017
【図１６】
2006524406.tif 000018
【図１７】
2006524406.tif 000019
【図１８】
2006524406.tif 000020
【図１９】
2006524406.tif 000021
【図２０】
2006524406.tif 000022
【図２１】
2006524406.tif 000023
【図２２】
2006524406.tif 000024
【図２３】
2006524406.tif 000025
【図２４】
2006524406.tif 000026
【図２５】
2006524406.tif 000027
【図２６】
2006524406.tif 000028
【図２７】
2006524406.tif 000029
【図２８】
2006524406.tif 000030
【図２９】
2006524406.tif 000031
【図３０】
2006524406.tif 000032
【図３１】
2006524406.tif 000033
【図３２】
2006524406.tif 000034
【図３３】
2006524406.tif 000035
【図３４】
2006524406.tif 000036
【図３５】
2006524406.tif 000037
【図３６】
2006524406.tif 000038
【図３７】
2006524406.tif 000039
【図３８】
2006524406.tif 000040
【国際調査報告】
2006524406.tif 000041
2006524406.tif 000042
2006524406.tif 000043